(57)【要約】ハンドカバーは、手を収容する部分とカバーとを有する。手を収容する部分は、第１の端部で閉じられ、第２の端部で開口部を画定する。ハンドカバーは、空気分散装置と吸込口カバーとを備える。空気分散装置は、カバーと手を収容する部分との間に配置される。空気分散装置は、吸込口と排出口とを有する。吸込口カバーは、空気分散装置の吸込口に取外し可能に結合される。
2006508256.tif 000002
【特許請求の範囲】
【請求項１】
ハンドカバーであって、
第１の端部で閉じられ、第２の端部で開口部を画定する手を収容する部分と、
前記手を収容する部分に結合されたカバーと、
前記カバーと前記手を収容する部分との間に配置された空気分散装置と備え、前記空気分散装置が実質的に平面であり、前記空気分散装置が吸込口と排出口とを有し、前記空気分散装置の前記吸込口及び前記排出口が間隔を置いて位置づけられ、前記排出口が、内部に向かう空気を前記手を収容する部分の方に排出するよう構成されるハンドカバー。
【請求項２】
前記カバー、前記空気分散装置、及び前記手を収容する部分の少なくとも１つが、保湿性のある布地である請求項１に記載のハンドカバー。
【請求項３】
前記カバーが、保湿特性を有し、
前記空気分散装置が、保湿特性を有し、
前記手を収容する部分が、保湿特性を有し、
前記手を収容する部分の前記保湿特性が、前記カバーの前記保湿特性及び前記手を収容する部分の前記保湿特性の少なくとも１つより低い請求項１に記載のハンドカバー。
【請求項４】
前記カバー、前記空気分散装置、及び前記手を収容する部分の少なくとも２つが、積層の一部である請求項１に記載のハンドカバー。
【請求項５】
前記空気分散装置が、前記吸込口から前記排出口に空気を伝えて、前記吸込口の前記空気の温度及び圧力が、前記排出口の前記温度及び前記圧力と実質的に同じとなるよう構成される請求項１に記載のハンドカバー。
【請求項６】
前記空気分散装置が、前記吸込口から前記排出口に空気を伝えて、前記吸込口の前記空気の温度は、前記排出口の前記温度と実質的に同じとなり、前記吸込口の圧力は、前記排出口の前記圧力とは異なるよう構成される請求項１に記載のハンドカバー。
【請求項７】
前記排出口が、前記手を収容する部分の前記第１の端部の直近に位置づけられる請求項５に記載のハンドカバー。
【請求項８】
前記空気分散装置が、
前記吸込口を画定する第１の膜と、
前記第１の膜に結合された第２の膜とを含み、
前記第１の及び第２の膜が、通気道を画定し、前記排出口が、前記吸込口の反対側の前記通気道の端部の直近に置かれる請求項１に記載のハンドカバー。
【請求項９】
前記空気分散装置の前記排出口が、前記第２の膜によって完全に画定される請求項８に記載のハンドカバー。
【請求項１０】
前記空気分散装置の前記排出口が、前記通気道の前記端部で画定された開口部である請求項８に記載のハンドカバー。
【請求項１１】
前記空気分散装置が、
前記第１の膜と前記第２の膜との間に配置された材料をさらに含む請求項８に記載のハンドカバー。
【請求項１２】
前記カバーが、前記空気分散装置の前記吸込口と合致させて位置づけられた開口部を画定し、
空気導管が、前記開口部と隣接し、前記吸込口と気体連通する請求項１に記載のハンドカバー。
【請求項１３】
前記空気導管が、前記カバーに結合される請求項１２に記載のハンドカバー。
【請求項１４】
前記空気導管が、前記空気分散装置に結合される請求項１２に記載のハンドカバー。
【請求項１５】
前記空気分散装置が、
前記第２の膜の反対側に結合された第３の膜をさらに含む請求項１１に記載のハンドカバー。
【請求項１６】
前記手を収容する部分と前記空気分散装置との間に配置された布地をさらに備える請求項１１に記載のハンドカバー。
【請求項１７】
前記布地が、保温、保湿性のある布地である請求項１６に記載のハンドカバー。
【請求項１８】
前記布地が、除湿性のある布地である請求項１６に記載のハンドカバー。
【請求項１９】
前記吸込口と前記通気道との間に置かれた空気室をさらに備える請求項８に記載のハンドカバー。
【請求項２０】
ハンドカバーであって、
第１の層と、
前記第１の層に結合された第２の層と、
前記第１の層と前記第２の層との間で結合された複数の流路部材とを備え、前記流路部材のそれぞれが、吸込口を有し、空気をそれ自体の排出口に伝えるよう構成され、前記複数の流路からのそれぞれの流路部材が、実質的に平面であり、
さらに、空気を前記複数の流路部材の前記吸込口のそれぞれに向けるよう構成された空気取入口を備えるハンドカバー。
【請求項２１】
前記第１の層と、前記第２の層と、前記複数の流路部材の少なくとも１つが、保湿性のある布地である請求項２０に記載のハンドカバー。
【請求項２２】
前記第１の層が、保湿特性を有し、
前記第２の層が、保湿特性を有し、
前記複数の流路部材が、保湿特性を有し、前記第２の層の前記保湿特性が、前記第１の層の前記保湿特性及び前記複数の流路部材の前記保湿特性の少なくとも１つより低い請求項２０に記載のハンドカバー。
【請求項２３】
前記第１の層、前記第２の層、及び前記複数の流路部材の少なくとも２つが、積層の一部である請求項２０に記載のハンドカバー。
【請求項２４】
前記第１の層と前記第２の層との間に結合され、空気室吸込口を有する空気室をさらに備え、前記空気室が、前記空気取入口と前記複数の流路部材の前記吸込口のそれぞれとの間に位置づけられる請求項２０に記載のハンドカバー。
【請求項２５】
前記複数の流路部材のそれぞれが、閉じた端部を含み、前記排出口が、その長さに沿って前記複数の流路部材のそれぞれの側部で画定される請求項２０に記載のハンドカバー。
【請求項２６】
前記複数の流路部材のそれぞれが、前記吸込口から間隔を置いて配置された開放端部を有し、前記排出口が、前記開放端部で画定される請求項２０に記載のハンドカバー。
【請求項２７】
前記空気室及び前記複数の流路のそれぞれ内に配置された材料をさらに備える請求項２４に記載のハンドカバー。
【請求項２８】
前記空気室吸込口に流体連結された空気導管をさらに備え、前記第２の層が、前記空気室吸込口と合致させて位置づけられた開口部を画定する請求項２０に記載のハンドカバー。
【請求項２９】
前記空気導管が、前記第２の層に結合される請求項２８に記載のハンドカバー。
【請求項３０】
前記空気導管が、前記空気室に結合される請求項２８に記載のハンドカバー。
【請求項３１】
前記第１の層と前記流路部材のそれぞれとの間に配置された布地をさらに備える請求項２０に記載のハンドカバー。
【請求項３２】
前記布地が、保温、保湿性のある布地である請求項３１に記載のハンドカバー。
【請求項３３】
前記布地が、除湿性のある布地である請求項３１に記載のハンドカバー。
【請求項３４】
第１の層と、前記第１の層に結合された第２の層と、前記第１の層と前記第２の層との間に配置され、間隔を置いて位置づけられた空気吸込口及び空気排出口を画定する第１の膜と第２の膜とを有する空気分散装置とを有する、ハンドカバーを製造する方法であって、
前記第１の膜を前記第２の膜に結合して、前記空気分散装置を形成する工程であって、前記第１の膜及び前記第２の膜が、それぞれ、実質的に平面である、工程と、
前記第１の層に隣接して前記空気分散装置を位置づける工程と、
前記空気分散装置が前記第１の層と前記第２の層との間に実質的に包み込まれるよう、前記第１の層に隣接して前記第２の層を位置づける工程と、
前記第２の層を前記第１の層に結合する工程と、
前記空気分散装置の前記吸込口に隣接して空気導管を結合する工程と、を含む方法。
【請求項３５】
前記第１の膜を前記第２の膜に前記結合する工程が、前記第１の及び第２の膜のそれぞれの縁に隣接して、高周波溶接で、前記第１の膜を前記第２の膜に結合する工程を含む請求項３４に記載の方法。
【請求項３６】
前記第１の膜及び前記第２の膜が、それぞれ、固定要素を含み、前記方法が、前記第１の層と前記第２の層との間で前記固定要素を結合する工程をさらに含む請求項３５に記載の方法。
【請求項３７】
前記第１の膜と前記第２の膜との間で材料を結合する工程をさらに含む請求項３４に記載の方法。
【請求項３８】
空気分散装置とハンドカバーとの組み合わせであって、
手を実質的に取り囲むようにされたハンドカバーを備え、前記ハンドカバーが、
空洞を画定し、第１の開放端部と第２の閉じた端部とを有する第１の層と、
前記第１の層に結合された第２の層とを有し、
さらに、空気分散装置を備え、前記空気分散装置が、
実質的に平面であり、吸込口を画定する第１の膜と、
実質的に平面であり、室が前記第１の膜と前記第２の膜との間で画定されるように、前記第１の膜に結合された第２の膜とを有し、前記第２の膜が、前記室及び前記吸込口に気体連通する複数の排出口をさらに画定し、
さらに、前記第１の膜に結合され、前記吸込口に気体連通するよう構成された導管を有し、前記空気分散装置が、前記吸込口から前記室を通って前記複数の排出口に空気を分散し、前記第１の層の前記空洞に入るよう構成される、空気分散装置とハンドカバーとの組み合わせ。
【請求項３９】
手を収容する部分と、前記手を収容する部分に結合された上部部分を有するカバーとを有する手袋に、空気を分散する方法であって、前記カバーの前記上部部分及び前記手を収容する部分が、それぞれ、実質的に平面であり、全体として、室と、吸込口と、排出口とを有する空気分散装置を画定し、前記空気分散装置の前記吸込口及び前記排出口が、間隔を置いて位置づけられ、
空気源からの加圧空気を収容する工程と、
前記加圧空気を前記空気吸込口に提供する工程と、
前記室を通って、前記手を収容する部分の閉じた端部に隣接した前記空気排出口に、前記加圧空気を流す工程と、を含む方法。
【請求項４０】
前記加圧空気を前記吸込口に前記提供する工程が、外気温度より高い吸込口温度で空気量を提供することを含み、
前記室を通って、前記手を収容する部分の前記閉じた端部に隣接した前記空気排出口に、前記加圧空気を前記流す工程が、実質的に前記吸込口温度で前記空気排出口に、実質的にすべての前記空気量を流すことを含む請求項３９に記載の方法。
【請求項４１】
ハンドカバーであって、
第１の端部と第２の端部とを有し、前記第１の端部で複数の開口部及び前記第２の端部で１つの開口部を画定する、手を収容する部分と、
実質的に平面であり、前記手を収容する部分に結合され、吸込口と複数の排出口とを有する空気分散装置とを備え、前記空気分散装置の前記吸込口及び前記排出口が、間隔を置いて位置づけられる、ハンドカバー。
【請求項４２】
前記空気分散装置及び前記手を収容する部分の少なくとも１つが、保湿性のある布地である請求項４１に記載のハンドカバー。
【請求項４３】
前記空気分散装置が、保湿特性を有し、
前記手を収容する部分が、保湿特性を有し、前記手を収容する部分の前記保湿特性が、前記手を収容する部分の前記保湿特性より低い請求項４１に記載のハンドカバー。
【請求項４４】
前記空気分散装置及び前記手を収容する部分が、積層の一部である請求項４１に記載のハンドカバー。
【請求項４５】
前記空気分散装置の前記排出口が、前記手を収容する部分の前記第１の端部の前記複数の開口部と実質的に同一平面上にあり、前記空気分散装置の前記吸込口が、前記手を収容する部分の前記第２の端部の前記開口部と実質的に同一平面上にある請求項４１に記載のハンドカバー。
【請求項４６】
前記空気分散装置が、前記吸込口から前記排出口に空気を伝えて、前記吸込口の前記空気の温度及び圧力が、前記排出口の前記温度及び前記圧力と実質的に同じとなるよう構成される請求項４１に記載のハンドカバー。
【請求項４７】
前記空気分散装置が、前記吸込口から前記排出口に空気を伝えて、前記吸込口の前記空気の温度は、前記排出口の前記温度と実質的に同じとなり、前記吸込口の圧力は、前記排出口の前記圧力とは異なるよう構成される請求項４１に記載のハンドカバー。
【請求項４８】
前記空気分散装置が、
前記手を収容する部分に結合された膜を含み、
前記膜及び前記手を収容する部分が、前記吸込口、前記排出口、及びそれらの間の通気道を画定する請求項４１に記載のハンドカバー。
【請求項４９】
前記空気分散装置が、
第１の膜と、
前記第１の膜に結合された第２の膜とを含み、
前記第１の及び第２の膜が、前記吸込口、前記排出口、及び通気道を画定し、
前記第１の膜が、前記手を収容する部分の側部に結合される請求項４１に記載のハンドカバー。
【請求項５０】
前記空気分散装置が、
前記第１の膜と前記第２の膜との間に配置された材料をさらに含む請求項４９に記載のハンドカバー。
【請求項５１】
前記吸込口と前記通気道との間に置かれた空気室をさらに備える請求項４９に記載のハンドカバー。
【請求項５２】
ハンドカバーであって、
上部部分を有する手を収容する部分と、
前記手を収容する部分に結合された膜とを備え、前記膜が上部部分を有し、前記膜の前記上部部分及び前記手を収容する部分の前記上部部分が、それぞれ、実質的に平面であり、全体として、吸込口と排出口とを有する空気分散装置を画定し、前記空気分散装置の前記吸込口及び前記排出口が、間隔を置いて位置づけられる、ハンドカバー。
【請求項５３】
前記膜及び前記手を収容する部分の少なくとも１つが、保湿性のある布地である請求項５２に記載のハンドカバー。
【請求項５４】
前記膜が、保湿特性を有し、
前記手を収容する部分が、保湿特性を有し、
前記手を収容する部分の前記保湿特性が、前記膜の前記保湿特性より低い請求項５２に記載のハンドカバー。
【請求項５５】
前記空気分散装置が、複数の流路を有し、前記複数の流路からのそれぞれの流路が、第１の縫い目と前記流路の反対側に配置された第２の縫い目とによって画定され、それぞれが、前記膜の前記上部部分の一部と前記手を収容する部分の上部部分とを結合する請求項５２に記載のハンドカバー。
【請求項５６】
前記手を収容する部分の前記上部部分と前記膜の前記上部部分との間に配置された材料層をさらに備える請求項５２に記載のハンドカバー。
【請求項５７】
前記手を収容する部分の前記上部部分と前記膜の前記上部部分との間に配置された材料層をさらに備え、
前記空気分散装置が、複数の流路を有し、前記複数の流路からのそれぞれの流路が、第１の縫い目と前記流路の反対側に配置された第２の縫い目とによって画定され、それぞれが、前記膜の前記上部部分の一部と、前記手を収容する部分の一部と、前記材料層の一部とを結合する請求項５２に記載のハンドカバー。
【請求項５８】
上部部分を有する材料層をさらに備え、前記膜が外側を有し、
前記材料層が、前記膜の前記外側に結合され、前記膜の前記上部部分が、前記手を収容する部分と前記材料層の前記上部部分との間に配置される請求項５３に記載のハンドカバー。
【請求項５９】
ハンドカバーであって、
上部部分を有する手を収容する部分と、
前記手を収容する部分に結合された膜とを備え、前記膜が上部部分を有し、前記膜の前記上部部分の断面が、弓状であり、ある方向にくぼみを有し、前記手を収容する部分の前記上部部分の断面が、弓状であり、前記ある方向にくぼみを有し、前記膜及び前記手を収容する部分が、全体として、吸込口と排出口とを有する空気分散装置を画定し、前記空気分散装置の前記吸込口及び前記排出口が、間隔を置いて位置づけられる、ハンドカバー。
【請求項６０】
前記膜及び前記手を収容する部分が、保湿性のある布地である請求項５９に記載のハンドカバー。
【請求項６１】
前記膜が、保湿特性を有し、
前記手を収容する部分が、保湿特性を有し、
前記手を収容する部分の前記保湿特性が、前記膜の前記保湿特性より低い請求項５９に記載のハンドカバー。
【請求項６２】
前記空気分散装置が複数の流路を有し、前記複数の流路からのそれぞれの流路が、第１の縫い目と前記流路の反対側に配置された第２の縫い目とによって画定され、それぞれが、前記膜の前記上部部分の一部と前記手を収容する部分の一部とを結合する請求項５９に記載のハンドカバー。
【請求項６３】
前記手を収容する部分の前記上部部分と前記膜の前記上部部分との間に配置された材料層をさらに備える請求項５９に記載のハンドカバー。
【請求項６４】
前記手を収容する部分の前記上部部分と前記膜の前記上部部分との間に配置された材料層をさらに備え、
前記空気分散装置が、複数の流路を有し、前記複数の流路からのそれぞれの流路が、第１の縫い目と前記流路の反対側に配置された第２の縫い目とによって画定され、それぞれが、前記膜の前記上部部分の一部と、前記手を収容する部分の一部と、前記材料層の一部とを結合する請求項５９に記載のハンドカバー。
【請求項６５】
上部部分を有する材料層をさらに備え、前記膜が外側を有し、
前記材料層が、前記膜の前記外側に結合され、前記膜の前記上部部分が、前記手を収容する部分の前記上部部分と前記材料層の前記上部部分との間に配置される請求項５９に記載のハンドカバー。
【請求項６６】
ハンドカバーであって、
第１の端部で閉じられ、第２の端部で開口部を画定する手を収容する部分と、
前記手を収容する部分に結合され、上部部分を有するカバーと、
前記カバーと前記手を収容する部分との間に配置された空気分散膜とを備え、前記カバーの前記上部部分及び前記空気分散膜が、それぞれ実質的に平面であり、全体として、吸込口と排出口とを有する空気分散装置を画定し、前記空気分散装置の前記吸込口及び前記排出口が、間隔を置いて位置づけられ、前記排出口が、前記手を収容する部分の前記第１の端部に実質的に配置され、内部に向かう空気を前記手を収容する部分の方に排出するよう構成される、ハンドカバー。
【請求項６７】
前記カバー、前記空気分散膜、及び前記手を収容する部分の少なくとも１つが、保湿性のある布地である請求項６６に記載のハンドカバー。
【請求項６８】
前記カバーが、保湿特性を有し、
前記空気分散膜が、保湿特性を有し、
前記手を収容する部分が、保湿特性を有し、前記手を収容する部分の前記保湿特性が、前記カバーの前記保湿特性及び前記空気分散膜の前記保湿特性の少なくとも１つより低い請求項６６に記載のハンドカバー。
【請求項６９】
前記手を収容する部分、前記空気分散膜、及び前記カバーの少なくとも２つが、積層の層である請求項６６に記載のハンドカバー。
【請求項７０】
前記空気分散装置が複数の流路を有し、前記複数の流路からのそれぞれの流路が、第１の縫い目と前記流路の反対側に配置された第２の縫い目とによって画定され、それぞれが、前記カバーの前記上部部分の一部と前記空気分散膜の一部とを結合する請求項６６に記載のハンドカバー。
【請求項７１】
前記空気分散膜と前記カバーとの間に配置された材料層をさらに備える請求項６６に記載のハンドカバー。
【請求項７２】
前記空気分散膜と前記カバーとの間に配置された材料層をさらに備え、
前記空気分散装置が複数の流路を有し、前記複数の流路からのそれぞれの流路が、第１の縫い目と前記流路の反対側に配置された第２の縫い目とによって画定され、それぞれが、前記カバーの前記上部部分の一部と、前記空気分散膜の一部と、前記材料層の一部とを結合する請求項６６に記載の、ハンドカバー。
【請求項７３】
ハンドカバーであって、
第１の端部で閉じられ、第２の端部で開口部を画定する手を収容する部分と、
前記手を収容する部分に結合され、上部部分を有するカバーと、
前記カバーと前記手を収容する部分との間に配置された空気分散膜とを備え、前記カバーの前記上部部分の断面が、弓状であり、ある方向にくぼみを有し、前記空気分散膜の断面が、弓状であり、前記ある方向にくぼみを有し、前記カバーの前記上部部分及び前記空気分散膜が、全体として、吸込口と排出口とを有する空気分散装置を画定し、前記空気分散装置の前記吸込口及び前記排出口が、間隔を置いて位置づけられ、前記排出口が、前記手を収容する部分の前記第１の端部に実質的に配置され、内部に向かう空気を前記手を収容する部分の方に排出するよう構成される、ハンドカバー。
【請求項７４】
前記カバー、前記空気分散膜、及び前記手を収容する部分の少なくとも１つが、保湿性のある布地である請求項７３に記載のハンドカバー。
【請求項７５】
前記カバーが、保湿特性を有し、
前記空気分散膜が、保湿特性を有し、
前記手を収容する部分が、保湿特性を有し、前記手を収容する部分の前記保湿特性が、前記カバーの前記保湿特性及び前記空気分散膜の前記保湿特性の少なくとも１つより低い請求項７３に記載のハンドカバー。
【請求項７６】
前記手を収容する部分、前記空気分散膜、及び前記カバーの少なくとも２つが、積層の層である請求項７３に記載のハンドカバー。
【請求項７７】
前記空気分散装置が複数の流路を有し、前記複数の流路からのそれぞれの流路が、第１の縫い目と前記流路の反対側に配置された第２の縫い目とによって画定され、それぞれが、前記カバーの前記上部部分の一部と前記空気分散膜の一部とを結合する請求項７３に記載のハンドカバー。
【請求項７８】
前記空気分散膜と前記カバーとの間に配置された材料層をさらに備える請求項７３に記載のハンドカバー。
【請求項７９】
前記カバー、前記材料層、前記空気分散膜、及び前記手を収容する部分の少なくとも２つが、積層の層である請求項７８に記載のハンドカバー。
【請求項８０】
前記空気分散膜と前記カバーとの間に配置された材料層をさらに備え、
前記空気分散装置が複数の流路を有し、前記複数の流路からのそれぞれの流路が、第１の縫い目と前記流路の反対側に配置された第２の縫い目とによって画定され、それぞれが、前記カバーの前記上部部分の一部と、前記空気分散膜の一部と、前記材料層の一部とを結合する請求項７３に記載のハンドカバー。
【請求項８１】
ハンドカバーであって、
第１の端部で閉じられ、第２の端部で開口部を画定し、内部部分を有する手を収容する部分と、
第１の膜と、第２の膜と、材料層とを有する空気分散装置とを備え、
前記第１の膜、前記第２の膜、及び前記材料層が、それぞれ、外周部分を有し、前記第１の膜の前記外周部分の少なくとも一部が、前記第２の膜及び前記材料層の対応する外周部分に結合され、前記空気分散装置が、前記手を収容する部分に結合され、
前記第１の膜が、前記内部部分内への吸込口を画定し、前記第２の膜が、前記手を収容する部分の前記吸込口及び前記内部部分に気体連通する複数の排出口をさらに画定し、前記空気分散装置の前記吸込口及び前記複数の排出口が、間隔を置いて位置づけられる、ハンドカバー。
【請求項８２】
前記空気分散装置の前記第１の膜、前記第２の膜、及び前記材料層の少なくとも１つが、それぞれ、保湿性のある布地である請求項８１に記載のハンドカバー。
【請求項８３】
前記空気分散装置の前記第１の層が、保湿特性を有し、
前記空気分散装置の前記第２の層が、保湿特性を有し、
前記空気分散装置の前記材料層が、保湿特性を有し、
前記手を収容する部分が、保湿特性を有し、前記手を収容する部分の前記保湿特性が、前記第１の層の前記保湿特性、前記第２の層の前記保湿特性、及び前記材料層の前記保湿特性の少なくとも１つより低い請求項８１に記載のハンドカバー。
【請求項８４】
前記手を収容する部分、空気分散装置の前記第１の膜、空気分散装置の前記第２の膜、及び空気分散装置の前記材料層の少なくとも２つが、積層の層である請求項８１に記載のハンドカバー。
【請求項８５】
前記材料層が、前記第１の膜と前記第２の膜との間に配置される請求項８１に記載のハンドカバー。
【請求項８６】
前記第２の膜が、前記第１の膜と前記材料層との間に配置される請求項８１に記載のハンドカバー。
【請求項８７】
前記材料層が、前記第１の膜と前記第２の膜との間に配置される請求項８１に記載のハンドカバー。
【請求項８８】
ハンドカバーであって、
第１の端部で閉じられ、第２の端部で開口部を画定し、多孔質材料である手を収容する部分と、
前記手を収容する部分に結合され、上部部分を有するカバーと、
前記手を収容する部分と前記カバーとの間に少なくとも部分的に配置された材料層と、
前記手を収容する部分と前記材料層との間に少なくとも部分的に配置された空気分散膜とを備え、
前記空気分散膜、前記材料層、及び前記カバーの前記上部部分が、全体として、吸込口と排出口とを有する空気分散装置を画定し、前記空気分散装置が、実質的に平面であり、前記空気分散装置の前記吸込口及び前記排出口が、間隔を置いて位置づけられ、前記排出口が、前記手を収容する部分の前記第１の端部に実質的に配置され、内部に向かう空気を前記手を収容する部分の方に排出するよう構成され、
前記空気分散膜及び前記材料層が、それぞれ、外周部分を有し、前記空気分散膜の前記外周部分の少なくとも一部、及び材料層の前記外周部分の少なくとも一部が、前記カバーの前記上部部分に結合され、前記空気分散装置が、前記手を収容する部分に結合される、ハンドカバー。
【請求項８９】
ハンドカバーであって、
第１の膜と、
複数の流路部材が前記第１の膜と第２の膜との間に形成されるよう、前記第１の膜に結合された前記第２の膜とを備え、前記流路部材のそれぞれが、吸込口と排出口とを有し、空気をそれ自体の排出口に伝えるよう構成され、
さらに、空気を前記複数の流路部材のそれぞれの吸込口に向けるよう構成された空気取入口を備えるハンドカバー。
【請求項９０】
前記第１の膜、前記第２の膜、及び前記複数の流路部材の少なくとも１つが、保湿性のある布地を備える請求項８９に記載のハンドカバー。
【請求項９１】
前記第１の膜が、保湿特性を有し、
前記第２の膜が、保湿特性を有し、
前記複数の流路部材が、保湿特性を有し、前記第２の膜の前記保湿特性が、前記第１の膜の前記保湿特性及び前記複数の流路部材の前記保湿特性の少なくとも１つより低い請求項８９に記載のハンドカバー。
【請求項９２】
前記第１の膜及び／又は前記第２の膜が、積層の一部である請求項８９に記載のハンドカバー。
【請求項９３】
前記第１の層と前記第２の層との間に配置され、空気室吸込口を有する空気室をさらに備え、前記空気室が、前記空気取入口と前記複数の流路部材のそれぞれの前記吸込口との間に位置づけられる請求項８９に記載のハンドカバー。
【請求項９４】
前記複数の流路部材のそれぞれが、閉じた端部を含み、前記排出口が、その長さに沿って前記複数の流路部材のそれぞれの側部に画定される請求項８９に記載のハンドカバー。
【請求項９５】
前記複数の流路部材のそれぞれが、前記吸込口から間隔を置いて配置された開放端部を有し、前記排出口が、前記開放端部で画定される請求項８９に記載のハンドカバー。
【請求項９６】
前記空気室及び前記複数の流路部材のそれぞれ内に配置された材料をさらに備える請求項９３に記載のハンドカバー。
【請求項９７】
前記空気室吸込口に流体連通する空気導管をさらに備え、前記第２の層が、前記空気室吸込口と合致させて位置づけられた開口部を画定する請求項９３に記載のハンドカバー。
【請求項９８】
前記空気導管が、前記第２の層に結合される請求項９７に記載のハンドカバー。
【請求項９９】
前記空気導管が、前記空気室に結合される請求項９７に記載のハンドカバー。
【請求項１００】
前記流路部材のそれぞれに配置された布地をさらに備える請求項８９に記載のハンドカバー。
【請求項１０１】
前記布地が、保温、保湿性のある布地である請求項１００に記載のハンドカバー。
【請求項１０２】
前記布地が、除湿性のある布地である請求項１００に記載のハンドカバー。
【請求項１０３】
空洞を画定し、第１の開放端部と第２の閉じた端部とを有する第１の層と、
前記第１の層に結合された第２の層とをさらに備え、前記第１の及び第２の膜が、前記第１の層と前記第２の層との間に位置づけられる請求項８９に記載のハンドカバー。
【請求項１０４】
前記流路部材が、前記吸込口から前記各排出口に空気を伝えて、前記吸込口の前記空気の温度及び圧力が、前記排出口の前記温度及び前記圧力と実質的に同じとなるよう構成される請求項８９に記載のハンドカバー。
【請求項１０５】
前記流路部材が、前記吸込口から前記各排出口に空気を伝えて、前記吸込口の前記空気の温度は、前記排出口の前記温度と実質的に同じとなり、前記吸込口の圧力は、前記排出口の前記圧力とは異なるよう構成される請求項８９に記載のハンドカバー。
【請求項１０６】
前記複数の流路部材からのそれぞれの流路部材が、第１の縫い目と前記流路部材の反対側に配置された第２の縫い目とによって画定され、それぞれが、前記第１の膜の一部と前記第２の膜の一部とを結合する請求項８９に記載のハンドカバー。
【請求項１０７】
前記第１の膜がカバーを形成し、前記カバーが上部部分を有し、前記カバーの前記上部部分の断面が、弓状であり、ある方向にくぼみを有し、手を収容する部分を形成する前記第１の及び第２の膜の断面が、それぞれ、弓状であり、前記ある方向にくぼみを有する請求項８９に記載のハンドカバー。
【請求項１０８】
前記カバーが、保湿特性を有し、
前記手を収容する部分が、保湿特性を有し、前記手を収容する部分の前記保湿特性が、前記カバーの前記保湿特性より低い請求項１０７に記載のハンドカバー。
【請求項１０９】
前記第１の膜の上部部分の断面が、弓状であり、ある方向にくぼみを有し、前記第２の膜の断面が、弓状であり、前記ある方向にくぼみを有し、前記第１の膜の前記上部部分及び前記第２の膜が、全体として、前記流路部材を画定する請求項８９に記載のハンドカバー。
【請求項１１０】
材料層をさらに備え、
前記第１の膜、前記第２の膜、及び前記材料層が、それぞれ、外周部分を有し、前記第１の膜の前記外周部分の少なくとも一部が、前記第２の膜及び前記材料層の対応する外周部分に結合される請求項８９に記載のハンドカバー。
【請求項１１１】
前記第１の膜、空気分散装置の前記第２の膜、及び前記材料層の少なくとも２つが、積層の層である請求項１１０に記載のハンドカバー。
【請求項１１２】
前記材料層が、前記第１の膜と前記第２の膜との間に配置される請求項１１０に記載のハンドカバー。
【請求項１１３】
前記第２の膜が、前記第１の膜と前記材料層との間に配置される請求項１１０に記載のハンドカバー。
【請求項１１４】
前記材料層が、前記第１の膜と前記第２の膜との間に配置される請求項１１０に記載のハンドカバー。
【請求項１１５】
前記空気取入口に流体連通する空気導管をさらに備える請求項８９〜１１４のいずれか一項に記載のハンドカバー。
【請求項１１６】
第１の位置から第２の位置に移動可能な固定ストラップをさらに備え、前記ストラップが、前記第１の位置において前記空気導管を覆う請求項１１５に記載のハンドカバー。
【請求項１１７】
操作しない時に前記空気導管を収容するための袋をさらに備える請求項１１５に記載のハンドカバー。
【請求項１１８】
前記第１の位置にある時に前記ストラップを固定するための留め具をさらに備える請求項１１６に記載のハンドカバー。
【請求項１１９】
前記留め具が、磁気及び／又はベルクロ（Ｖｅｌｃｒｏ）留め具を備える請求項１１８に記載のハンドカバー。
【請求項１２０】
前記空気導管が、前記空気取入口に取外し可能に結合される請求項１１５に記載のハンドカバー。
【請求項１２１】
第１の層と、前記第１の層に結合された第２の層と、前記第１の層と前記第２の層との間に配置され、間隔を置いて位置づけられた空気吸込口及び空気排出口を画定する第１の膜と第２の膜とを有する空気分散装置と、を有するハンドカバーを製造する方法であって、
前記第１の膜を前記第２の膜に結合して、前記空気分散装置を形成する工程と、
前記第１の層に隣接して前記空気分散装置を位置づける工程と、
前記空気分散装置が前記第１の層と前記第２の層との間に実質的に包み込まれるよう、前記第１の層に隣接して前記第２の層を位置づける工程と、
前記第２の層を前記第１の層に結合する工程と、
前記空気分散装置の前記吸込口に隣接して空気導管を結合する工程と、を含む方法。
【請求項１２２】
前記第１の膜を前記第２の膜に前記結合する工程が、前記第１の及び第２の膜のそれぞれの縁に隣接して、高周波溶接で、前記第１の膜を前記第２の膜に結合する工程を含む請求項１２１に記載の方法。
【請求項１２３】
前記第１の膜及び前記第２の膜が、それぞれ、固定要素を含み、前記方法が、前記第１の層と前記第２の層との間で前記固定要素を結合する工程をさらに含む請求項１２２に記載の方法。
【請求項１２４】
前記第１の膜と前記第２の膜との間で材料を結合することをさらに含む請求項１２１に記載の方法。
【発明の詳細な説明】
【発明の開示】
【０００１】
背景
発明の分野
本発明は、一般に、ハンドカバー（hand covering）、より詳細には、内部に保温チューブ（internalthermal tubes）を有するハンドカバーに関する。
【０００２】
関連技術の考察
寒い天候の時には、手袋または同様のハンドカバーを着用して、手を暖めておくことが望ましい場合がしばしばある。しかし極端な温度状況の時には、このようなハンドカバーを着用しているかいなかに関わらず、手を心地良い温度に維持することが困難な場合があるという懸念が生じる。したがって、使用者が、単にハンドカバーを着用することによって得られるよりも高い温度に、手を温めておくことのできるハンドカバーが提供されてきた。
【０００３】
着用者が、ハンドカバーの内部に熱を導入することのできるハンドカバーが提供されてきた。このようなハンドカバーは、一般に、ハンドカバーの内部室全体にわたって熱を放散することができる。このようなハンドカバーの問題点として、熱が素早く放散し、手の末端（即ち指先）に暖かい空気がしばしば行き渡らないので、手の末端が不快な冷たい温度のままであることがある。手の末端は、一般に、身体が冷たいと感じる最初の部位であり、またいったん冷たくなったら再び暖かくなることが最も困難であるので、このことは問題である。
【０００４】
空気の流れを可能にし、かつ着用者に多大な心地良さを与えるように、手が入れられるハンドカバーの室を通って空気を通風することのできる、他のハンドカバーが提供されてきた。
【０００５】
吸込口と排出口との間で暖かい空気を放散することなく、着用者の手の末端に暖かい空気を伝え、かつ充分な通風を可能にする、改良されたハンドカバーが求められる。
【０００６】
発明の概要
ハンドカバーは、手を収容する部分とカバーとを有する。手を収容する部分は、第１の端部で閉じられ、第２の端部で開口部を画定する。ハンドカバーは、空気分散装置と吸込口カバーとを備える。空気分散装置は、カバーと手を収容する部分との間に配置される。空気分散装置は、吸込口と排出口とを有する。吸込口カバーは、空気分散装置の吸込口に取外し可能に結合される。
【０００７】
以下の図面及び記載から、本発明の上記の及び他の態様が明らかとなろう。
【０００８】
添付図面を参照しながら、本発明について記載する。同図面においては、同様の参照符号は、同一または機能的に同様の要素を示している。
【発明を実施するための最良の形態】
【０００９】
詳細な説明
ハンドカバーが、吸込口から、吸込口から間隔を置いて配置された少なくとも１つの排出口に、空気を分散するよう構成される。空気が、ハンドカバー全体に放散することなく、ハンドカバーの末端に分散されるように、排出口は、吸込口から間隔を置いて配置される。図１〜図３は、ハンドカバー１００の一実施形態を示す図である。ハンドカバー１００は、複数の層からなる。ハンドカバー１００は、第１の端部１１２で閉じられ、かつ第２の端部１１４で開口部を画定する、第１の層または手を収容する部分１１０を含む。手を収容する部分は、使用者の手を収容するよう構成された空洞１１５（図１に図示せず）を画定する。ハンドカバー１００が図１には手袋として例示されているが、（図５に例示されているような）ミトンなどの他のハンドカバー、またはミトンと手袋との組み合わせも可能であることを理解されるであろう。
【００１０】
第２の層またはカバー１２０が、手を収容する部分１１０に結合され、空気分散装置１５０（図１に図示せず）が、カバー１２０と手を収容する部分１１０との間に配置される。カバー１２０は、空気分散装置１５０を実質的に包み込むために設けられる。空気分散装置が、手を収容する部分１１０の外側に位置づけられるかまたは内側に位置づけられるかにより、カバー１２０は、手を収容する部分１１０の内側または外側のいずれかに位置づけられる。
【００１１】
空気分散装置１５０は、吸込口１５１から少なくとも１つの排出口１５９に、空気を伝えるよう構成される（図４参照）。吸込口１５１及び排出口１５９は、吸込口内に導入された空気が、長さ全体を伝わって排出口１５９を出るよう、間隔を置いて位置づけられる。上記で論じたように、ハンドカバーの他の部分全体への熱の放散を最小限に抑えながら、使用者の手の末端が排出される空気に接触するよう、空気はハンドカバーを通って分散される。
【００１２】
吸込口１５１の空気の温度及び圧力は、排出口１５９の空気の温度及び圧力と実質的に同じであり得る。吸込口１５１及び排出口１５９の相対的な大きさ、及びそこを通って空気が流れる流路の大きさ（以下に詳細に記載する）により、吸込口１５１と排出口１５９との間の差圧が、変化し（即ち、吸込口より排出口の圧力が大きく、または小さくなり）得る。
【００１３】
空気分散装置１５０は、排出口１５９が手を収容する部分１１０の閉じた端部１１２の直近に位置づけられるよう、ハンドカバー１００内に配置される。したがって、空気は、所望通りに、使用者の手の末端に向けられる。
【００１４】
空気分散装置１５０内への空気の導入を容易にするために、空気導管（airconduit）または空気取入口１８０が設けられる。例示されている実施形態においては、空気導管１８０は、使用者が空気を吹きかけて、空気分散装置１５０内に空気を導入することのできる口金として構成される。後に理解されるであろうが、空気導管１８０は、図２２〜図３９に例示されているような、他の多くの形状をとり得る。空気導管１８０の形状に関わらず、空気導管１８０は、空気分散装置１５０の吸込口１５１に気体連通する（be ingaseous communication）よう構成される。
【００１５】
カバー１２０は、空気分散装置１５０の吸込口１５１と合致させて位置づけられた（ispositioned in registry with the inlet 151）開口部（例示せず）を画定する。空気導管１８０は、吸込口に気体連通しており、カバー１２０の開口部に合致させて位置づけられ得る。空気導管は、カバー１２０に直接結合されるか、あるいは空気分散装置１５０に直接結合され得る。あるいは、空気導管１８０がなく、ハンドカバー１００のカバー１２０に開口部が付いているだけである場合もある。さらなる代替実施形態においては、カバー１２０に開口部がなく、使用者は、カバーを通して空気導管に空気を入れる。
【００１６】
図４〜図９を参照すると、本発明の空気分散装置の様々な実施形態が例示されている。空気分散装置１５０、２５０、３５０、４５０、５５０、６５０、７５０の実施形態の一般的な構造は、実質的に同様であることを理解されるであろう。まず最初に、図６及び７に例示されている空気分散装置３５０を参照しながら、この一般的な構造について記載する。
【００１７】
図６は、本発明の一態様による空気分散装置３５０の一実施形態を示す分解組立図である。空気分散装置３５０は、吸込口３５１を画定する第１の膜３５３と、第１の膜３５３に結合され、かつ少なくとも１つの排出口３５９を画定する第２の膜３５５とを含む。第１の及び第２の膜３５３、３５５は共に、そこを通って空気が吸込口から排出口に伝わる通気道を画定する。排出口３５９は、第２の膜の端部３５２の直近に置かれる。上述したように、排出口３５９は、空気を適切に分散するように、吸込口３５１から空気分散装置３５０の反対側の端部にある。この実施形態においては、排出口３５９は、第２の膜３５５によって完全に画定される。以下に記載するように、吸込口３５１及び排出口３５９の位置及び構成を変えることができる。さらに、吸込口及び排出口の数も、所望通りに変えることができる。
【００１８】
図７に示されるように、空気分散装置３５０はまた、複数の流路部材３５６を含む。それぞれの流路部材３５６は、それ自体の吸込口３３５を含む。空気は、空気室３５７から吸込口３３５に伝えられる。空気室３５７は、流路部材３５６の吸込口３３５と第１の膜３５３によって画定された吸込口３５１との間に置かれる。
【００１９】
例示されている実施形態においては、空気導管３８０が、それに隣接する第１の膜３５３に結合し、吸込口３５１と合致している。
【００２０】
材料３６０の層が、通気道内の第１の膜３５３と第２の膜３５５との間に配置される。２つの膜３５３、３５５によって画定された通気道内に置かれた材料３６０は、多くの目的に役立つことができる。材料３６０は、通気道を開放しておく（即ち、２つの膜同士がくっつくのを防止する）よう構成される。材料３６０はまた、空気分散装置を乾燥させ、それから湿度を分散させるのを助けるためのウィッキング材料（wickingmaterial）または乾燥剤としても役立ち得る。材料３６０は、たとえば発泡体から製造されるか、または織り合わせられた多孔質材料であり得る。材料３６０は、吸湿防止材となり、ウィッキング材料として作用するだけでなく、保温性も有し得る。材料３６０により、吸込口に入った空気の熱がほんの少量しか放散できず、実質的に一定の温度で、空気が流路部材３５６を通過する。
【００２１】
一般的に言って、所望の温度管理特性及び所望の湿度管理特性に対して、材料３６０を選択することができる。これらの特性はまた、熱保存（または断熱）、湿度保存、湿度のウィッキング、熱の放散、通気性、または非通気性についての、材料の能力に関係し得る。このような材料は、たとえば、ネオプレン、クールマックス（Ｃｏｏｌｍａｘ）（登録商標）またはゴアテックス（Ｇｏｒｅ−Ｔｅｘ）（登録商標）から作られ得る。
【００２２】
たとえば、材料３６０をその保湿特性に対して選択することができる。湿度を保持する材料を選択することにより、使用者に不快感を与えずに、長い時間、手袋の中の温度を上げておくことができる。より詳細には、空気分散装置の吸込口内に空気（たとえば使用者の息）が入った場合に、使用者の息の熱及び湿度を材料内に保持することができる。このことにより、使用者の皮膚に直接接触することなく、使用者の皮膚の近くに湿度が配置されることとなる。湿度の温度（thetemperature of the moisture）は材料の温度に関係するので、一定時間、湿度が空気分散装置内に保持されることが望ましい。使用者の皮膚に直接接触していない膜で手袋の中の湿度を保持することにより、使用者は濡れたまたは湿った表面が使用者の皮膚に接触する不快感を回避しつつ、長い時間、手袋の中の温度を上げられる。
【００２３】
図４のハンドカバー１００に戻ると、図４に例示されている空気分散装置１５０の実施形態には、吸込口１５１に隣接した空気分散装置１５０の第１の膜１５３に結合された空気導管１８０が含まれている。複数の流路部材１５６が、それぞれ、吸込口１３５を有し、それ自体の排出口１５９に気体を伝えるよう構成されている。例示されている実施形態においては、排出口１５９は、破線で示されており、吸込口１５１の反対側の空気分散装置１５０の側部の長さに沿って置かれている（即ち、全体が第２の膜によって画定されている）ことが示されている。図４に例示されている実施形態においては、空気導管または空気取入口１８０に空気が入り、吸込口１３５に分散され、流路部材１５６を通り、最終的に排出口１５９で排出される。例示されている実施形態においては、空気導管１８０と流路部材１５６との間に空気室はないが、他の実施形態においては、空気室が存在し得る。
【００２４】
代替ハンドカバー２００と共に使用するための代替実施形態である空気分散装置２５０が、図５に例示されている。この実施形態においては、空気分散装置２５０は、吸込口２５１に隣接した空気分散装置２５０に結合された空気導管または空気取入口２８０を含む。空気排出口２５９は、ハンドカバー２００の閉じた端部２１２に隣接して置かれ、第２の膜によって画定される（図５には見えない）。明らかなことであるが、２つの流路部材２５６が、空気室２５７に結合されている。流路部材２５６の１つは複数の排出口２５９を含み、他の流路部材２５６は１つの排出口２５９を含む。あるいは、流路部材２５６の両方が、複数の排出口を含むか、または１つの排出口２５９を含むことができる。
【００２５】
図８に例示されている空気分散装置４５０の実施形態は、空気分散装置３５０と実質的に同様である。しかし、図７に例示されている実施形態においては、以下に記載するように、組立て中にハンドカバーの層間に固定されるよう、つまみまたは固定要素４７０、４７５が、空気分散装置４５０の膜に設けられる。たとえば、つまみは、カバーまたは手を収容する部分に別々に縫い合わせられるか、または単に手を収容する部分とカバーとを結合するために使用された縫い目と同じ縫い目を用いて縫い合わせられる場合がある。
【００２６】
（図１２〜図１４に示されている）布地または発泡体の別の層１９０を、それぞれ、空気分散装置１５０、２５０、３５０、４５０、５５０、６５０、７５０と、手を収容する部分１１０、２１０、３１０、４１０、５１０、６１０、７１０との間、またはそれらに隣接して配置することができる。布地の別の層１９０は、保温性のある布地であり得、及び／又は湿度が排出口１５９を通って流出するのを防止するためのウィッキング材料として作用し得る。布地の別の層は、排出口１５９のみを覆うだけの寸法を有するか、あるいは流路部材の長さまたは空気分散装置全体に延在するような寸法を有することができる。空気分散装置の２つの膜間に配置された材料も、保温性を有し得ることが理解されるであろう。同様に、手を収容する部分１１０は、このような保温性を有し、ハンドカバーから熱の放散を防止するための保温性のある布地から製造することができる。保温性のある布地の例に、デュポン（Ｄｕｐｏｎｔ）社から市販されているサーマライト（ＴＨＥＲＭＡＬＩＴＥ）、または３Ｍ（３Ｍ  Ｃｏｒｐｏｒａｔｉｏｎ）社から市販されているシンシュレート（ＴＨＩＮＳＵＬＡＴＥＴＭ）がある。
【００２７】
図９、図１３、及び図１４に例示されているように、第１の膜５５３と、第２の膜５５５と、第３の膜５５７とを含む代替空気分散装置５５０が例示されている。あるいは、これらの膜を、別々の材料片を結合させるのではなく、１つの材料片から成形することができる。空気分散装置５５０は、カバー１２０と手を収容する部分１１０との間に配置される。上述したように、布地の層１９０を、空気分散装置５５０の排出口５５９と手を収容する部分１１０との間に配置することができる。例示されている実施形態においては、第３の膜５５７は、第１の及び第２の膜５５３、５５５と共に、液体が手を収容する部分１１０の室１１５内に入るのを防止するよう構成された、リキッドバリア材（liquidbarrier）及び／又は通気性のある防水材として作用する。
【００２８】
図１５は、流路部材６５５、６５６、及び６５７を含む空気分散装置６５０の一実施形態の部分図を示す。例示されている実施形態における流路部材６５５、６５６、６５７のそれぞれが、それぞれ流路部材の端部で画定された排出口６６５、６６６、及び６６７を含む。上記に空気分散装置３５０について詳細に記載したように、流路部材６５７は、第１の膜６５３と第２の膜６５４との間に材料の層６６０を含む。図１５には、流路部材の複数種類の代替構成が示されているが、任意の特定の実施形態については、その１つのみが含まれることに留意されたい。
【００２９】
第１の及び第２の膜６５３、６５４は、様々な排出口を形成するよう、様々な構成で結合され得る。たとえば、流路部材６５５に例示する実施形態では、第１の及び第２の膜は、両方ともその断面が弓状であるように結合され、流路部材６５５がつぶれるのを阻止するために、開口部または通気道６６５を画定している。
【００３０】
流路部材６５６を備える第１の及び第２の膜６５３、６５４は、第１の膜６５３がつぶれて、開口部または通気道６６６を閉じ、空気流が流路部材６５６を通るのを阻止することのないよう、ぴんと張った構造を有する第２の膜６５４の上に、第１の膜６５３が弓状に位置づけられるように構成される。
【００３１】
上述したように、流路部材６５７は、第１の膜６５３が第２の膜６５４の方につぶれて、開口部または通気道６６７を閉じ、空気が流路部材６５７を通って流れるのを阻止するのを防止するよう、その中に配置された材料の層６６０を含む。後に理解されるであろうが、空気が通るのを可能にする一方、流路部材をつぶれにくくする空気分散装置の流路部材の他の構成も、本発明により想定される。
【００３２】
図１６は、本発明による様々な吸込口及び排出口を示す空気分散装置７５０の一実施形態を示す図である。例示されている吸込口及び排出口の任意の１つまたはすべてを、空気分散装置７５０内に含むことができる。吸込口の１つの特定の種類及び場所と排出口の１つの特定の種類及び１組の場所とを、所与の１つの実施形態について実施することが想定される。例示されている導管７８０、７８１、７８２、または７８３のいずれかに隣接して、吸込口７５１を置くことができる。さらに、空気が導入された時に、空気室７５７が拡大し過ぎるのを防止するために、空気室７５７内にキルティング７８４を含むことができる。
【００３３】
空気分散装置の排出口のいくつかの代替実施形態が、図１６に例示されている。たとえば、排出口７６５には、空気分散装置の第２の膜上に画定された開口部を含むことができる。排出口は、様々な形状及び大きさであり得、排出口７６１、７６２、７６３、及び７６４によって例示されているように、空気分散装置の流路部材７６６の長さに沿って位置づけることができる。あるいは、上記で論じたように、排出口は、第２の膜の端部の直近に画定された１つの開口部７５９であり得る。排出口はまた、排出口７６０によって例示されているように、流路部材の端部にも画定され得る。
【００３４】
図１７及び図１８は、導管を遮蔽するために折りたたまれる袖口８１０により、導管８８０が隠されているハンドカバー８００の代替実施形態を示す図である。導管８８０に触るためには、図１８に例示されているように、袖口８１０を折り返す。
【００３５】
図１９は、空気導管または空気取入口が設けられていないハンドカバー９００の一実施形態を示す図である。空気導管または空気取入口の代わりに、カバー９２０を通って空気分散装置の吸込口９５１内に空気が導入される。このような実施形態においては、カバーは、開口部を含むか、または単に通気性のあるものであり得る。
【００３６】
図２０及び図２１は、空気導管１０８０を覆うよう構成されたストラップ１０１０を含むハンドカバー１０００のさらなる実施形態を示す図である。空気導管１０８０を覆うことにより、ごみ及び湿度が空気導管に入るのが防止されるか、または湿度が空気導管を通って手袋から出るのが防止される。使用中は、図２１に例示されているように、ストラップを取り外すことにより、空気が空気導管内に導入される。
【００３７】
図２２〜図３９は、空気導管１１８０、１２８０、１３８０、１４８０、１５８０、１６８０、１７８０、１８８０、１９８０、２０８０、２１８０、２２８０、２３８０、２４８０、及び２５８０の様々な実施形態を示す図である。
【００３８】
図２２及び図２３は、図２２に例示されている第１の位置から図２３に例示されている第２の位置に動かすことのできる空気導管１１８０の一実施形態を示す図である。空気導管１１８０は、その第１の位置にある時には、使用者が手で触ることができる。空気導管を使用しない時には、視界から隠すためにその第２の位置に動かすことができる。第２の位置にある時には、空気導管１１８０はまた、ごみ及び湿度から保護される。
【００３９】
空気導管１２８０を開口部１２２０でハンドカバー１２００の中に隠すことのできる、空気導管１２８０のさらなる実施形態が、図２４に例示されている。開口部は、ジッパーなどの留め具により、閉じた位置に固定することができる。
【００４０】
図２５は、取外し可能なスクリーン１４８５も含む、代替実施形態である空気導管１４８０を示す図である。スクリーン１４８５は、ごみが空気分散装置１４５０に入るのを防止し、湿度が装置に入るのを防止し、及び／又は湿度が手袋から出るのを防止する。スクリーン１４８５は、取り外し、手入れをし、及び／又は交換することができる。代替実施形態においては、ウィッキング材料１４８７が、空気導管１４８０と共に取外し可能に配置される。
【００４１】
図２６〜図３０は、取り外し、手入れをし、及び／又は交換することのできる空気導管の実施形態を示す図である。
【００４２】
図３１及び図３２は、取外し可能なカバー１９８２を含む空気導管１９８０の一実施形態を示す図である。取外し可能なカバー１９８２は、たとえば摩擦嵌めまたはスナップ嵌めにより、基部１９８４に結合される。取外し可能なカバー１９８２は、手入れをする、及び／又は交換するために取り外すことができる。
【００４３】
図３３〜図３５は、空気導管２０８０、２１８０、２２８０の代替形状を示す図である。
【００４４】
図３６〜図３９は、使用者が購入した後、取り外して廃棄するまで、所定の位置に維持されるようにされた保護カバーを含む空気導管の実施形態を示す図である。カバー２３８２、２４８２、及び２５８２は、衛生上または予防上、所定の位置に密閉される。図３９は、カバー２５８２が取り外された、図３８に例示されている空気導管２５８０を示す図である。
【００４５】
図４０は、ごみが空気導管内に入るのを防止しながら、空気が開口部２６８７を介して通過できるようにするインサート２６８５を有する空気導管２６８０の一実施形態を示す図である。インサート２６８５はまた、見た目に美しい外観を呈する。
【００４６】
図２２〜図４０について記載した代替空気導管のいずれも、本明細書に記載した空気分散装置及びハンドカバーの任意の実施形態と共に利用することができる。さらに、ハンドカバー及び空気分散装置は、様々な交換可能な空気導管を収容するよう構成され得る。
【００４７】
図４２は、本発明による代替実施形態であるハンドカバー２７００を示す図である。例示されている実施形態は、単独で、あるいはたとえば手袋、ミトン、または同様の物品内に挿入できるライナとして使用され得る。このようにして、本発明の空気分散装置は、既存のハンドカバーの中で使用され得る。
【００４８】
ハンドカバー２７００は、第１の端部２７１２と第２の端部２７１４とを有する、手を収容する部分２７１０を含む。空気分散装置２７５０は、手を収容する部分２７１０に結合され、吸込口２７５１と排出口２７５９とを含む。空気室２７５７が、吸込口２７５１に隣接して置かれる。空気分散装置は、空気室２７５７と排出口２７５９との間に延在する空気流路２７５６を含む。
【００４９】
空気分散装置２７５０は、上述したように２つの膜から構築されるか、あるいは、手を収容する部分２７１０の１方の側に隣接して結合された１つの膜を含み得る。
【００５０】
ハンドカバー２７００が、手袋またはミトン内に挿入されるライナとして使用される場合には、使用中、ハンドカバー２７５０の第１の端部２７１２は、手袋またはミトンの閉じた端部に隣接して位置づけられ、第２の端部２７１４は、手袋またはミトンの開放端部に隣接して位置づけられ得る。
【００５１】
図４３は、ハンドカバー２８００が第１の端部２８１２と第２の端部２８１４とを有する手を収容する部分２８１０を含む、本発明のさらなる実施形態を示す図である。手を収容する部分２８１０は、使用者の手を収容するために、第２の端部２８１４で第１の開口部を画定する。手を収容する部分２８１０はまた、それを通って使用者の指を収容するよう構成された、第１の端部２８１２で複数の開口部も画定する。
【００５２】
空気分散装置２８５０は、手を収容する部分２８１０に結合され、吸込口２８５１と、吸込口２８５１から間隔を置いて配置された複数の排出口２８５９とを含む。空気分散装置２８５１は、複数の空気流路２８５６を通って、吸込口２８５１から複数の排出口２８５９に空気を伝えるよう構成されており、吸込口２８５１の空気の温度及び圧力が、排出口２８５９の温度及び圧力と実質的に同じとなる。あるいは、吸込口２８５１の空気の圧力は、複数の排出口２８５９の空気の圧力と異なることがある。空気分散装置２８５０は、吸込口２８５１と空気流路２８５６との間に置かれた空気室２８５７を含み得る。
【００５３】
空気分散装置２８５０の吸込口２８５１は、手を収容する部分２８１０の第２の端部２８１４で画定された開口部と実質的に同一平面上にある。排出口２８５０は、それぞれ、手を収容する部分２８１０の第１の端部２８１２で画定された開口部と実質的に同一平面上にある。このようにして、空気分散装置２８５０を通って分散された空気が、手を収容する部分２８１０の第１の端部２８１２内で画定された開口部を通って突出する使用者の手の部分の方に排出される。上述したように、空気分散装置２８５０が、通気道の長さに沿って相当量の熱を放散することがないので、排出口で排出される熱の量が最大となる。
【００５４】
空気分散装置は、上述したように、吸込口２８５１、排出口２８５９、及び通気道２８５６を画定する２つの膜を含み得る。湿度減少性、保湿性、及び／又は上記に記載した保温性を有する、２つの膜間に配置された材料があり得る。
【００５５】
代替実施形態においては、空気分散装置は、手を収容する部分２８１０の１方の側に隣接して結合された１つの膜を含み得る。このような実施形態においては、膜及び手を収容する部分は共に、吸込口２８５１、排出口２８５９、及び通気道２８５６を画定する。上述したように、膜と手を収容する部分との間に配置された材料があり得る。
【００５６】
使用中、ハンドカバー２８００は、手袋またはミトンなどの別のハンドカバーの中に挿入されるライナとして使用することができる。
【００５７】
図４４〜図１４５は、本発明による空気導管の代替実施形態及びそれらの場所を例示するハンドカバーの実施形態を示す図である。例示されている実施形態は、異なる形状、高さ（即ち、手袋の表面から空気導管の吸込口までの距離）、位置、及び相対的な配向の空気導管を含む。
【００５８】
３つの図のそれぞれの群が、例示されている実施形態の平面図、側面図、及び正面図を表している。たとえば、図４４は、可能な複数の場所における空気導管を例示するハンドカバーを示す平面図である。ハンドカバーは、複数の空気導管を含むか、またはいくつかの例示されている場所の１つで、１つの空気導管を含み得る。その上、例示されているいないに関わらず、ハンドカバーの他の任意の位置にも、空気導管を位置づけることができる。図４５は、図４４に例示されているハンドカバーを示す側面図である。図４６は、図４４に例示されているハンドカバーを示す正面図である。
【００５９】
ハンドカバーは、上述したように、空気室及び空気流路部材を提供するために、空気分散装置の第１の膜を空気分散装置の第２の膜に結合することによって製造され得る。２つの膜は、たとえば、第１の膜及び第２の膜のそれぞれの縁に隣接して、高周波溶接により、（by aradio frequency weld adjacent to an edge of each of the first and secondmembranes）あるいは２つの膜を共に溶融するまたは熱溶接することにより、共に結合することができる。次いで、完成した空気分散装置は、ハンドカバーの第１の層または手を収容する部分に隣接して位置づけられ、次いで第２の層またはカバーが手を収容する部分に隣接して位置づけられて、空気分散装置は第１の層と第２の層との間に実質的に包み込まれる。
【００６０】
次いで、ハンドカバーの第１の層及び第２の層は、たとえば１つの縫い目を用いて共に結合される。空気分散装置４５０がつまみまたは固定要素４７０、４７５を含む、上記に記載した実施形態においては、つまみは、同じ縫い目に沿って縫い合わせられるか、あるいは第１の層または手を収容する部分に別々に取り付けられ得る。ハンドカバーが空気導管を含む実施形態においては、空気導管は、空気分散装置の吸込口に隣接して結合される。空気導管は、空気分散装置に直接結合されるか、第２の層またはカバーに結合されるか、あるいは空気分散装置とカバーの両方に結合され得る。
【００６１】
空気分散装置の第１の膜と第２の膜との間に材料の層を含む本発明の実施形態においては、材料は、上述したように、２つの膜間に位置づけられてから、共に固定される。材料は、空気分散装置全体に位置づけるか、あるいは空気分散装置の一部のみに位置づけることができる。
【００６２】
たとえば使用者の口などの空気源から、加圧空気を受け付けた場合には、使用中、ハンドカバー１００の閉じた端部に空気が分散される。代替空気源は、図４１に例示されているような従来のヘアドライヤー１１１であり得る。次いで、加圧空気は、空気分散装置の第１の膜によって画定された空気吸込口に流れ、次いでハンドカバーの閉じた端部に隣接した空気排出口に流れる。吸込口に入った空気量は、外気温度（即ち、使用者の手の温度）より高い吸込口温度で入り、空気分散装置を通って、ハンドカバーの閉じた端部に隣接した空気排出口に流れる。実質的にすべての空気量が、吸込口温度に実質的に等しい温度で空気排出口に流れる。
【００６３】
図１４６〜図１５４は、本発明の一実施形態による、空気導管及び取外し可能な吸込口カバーを示す様々な図である。より詳細には、図１４６は、吸込口カバー３０００を示す平面図である。図１４７及び図１４８は、それぞれ、吸込口カバー３０００及び空気導管３１００を示す上部分解図及び下部分解図である。図１４９及び図１５０は、吸込口カバー３０００を示す、それぞれ、透視切開図及び側面切開図である。図１５１及び図１５２は、空気導管３１００を示す、それぞれ、透視切開図及び側面切開図である。図１５３及び図１５４は、空気導管３１００に結合された吸込口カバー３０００を示す、それぞれ、透視切開図及び側面切開図である。
【００６４】
図１４６に示されるように、吸込口カバー３０００は、中心部分３００１と、部分３００２と、部分３００３とを含む。中心部分３００１は、部分３００２と３００３との間に配置され、それらに取外し可能に取り付けられる。中心部分３００１は、つまみ３００９を含む。図１５０に最も良く示されているように、吸込口カバー３０００は、上部部分３０１０と突出部分３０１１とを有する。図１４８に最も良く示されているように、部分３００２及び３００３は、それぞれ、２つの保持部分３００４を含む（その１つは、図１４８には明示的に示されていない）。
【００６５】
図１５１に示されるように、たとえば、空気導管３１００は、内部のへり部分３１０１を含む。図１５２に最も良く示されているように、空気導管３１００は、基部部分３１１０と突出部分３１１１とを有する。
【００６６】
吸込口カバー３０００及び空気導管３１００を組み合わせて使用して、吸込口カバー３０００は、空気導管３１００から取外し可能であるが、いったん吸込口カバー３０００を取り外すと、空気導管３１００に再び取り付けることができないようにすることができる。空気導管３１００の上に吸込口カバー３０００を載せ、吸込口カバー３０００をパチンと嵌める（snapping）ことにより、吸込口カバー３０００を空気導管３１００に取り付けて、保持部分３００４を空気導管３１００の内部のへり部分３１０１に係合させることができる。いったん空気導管３１００の内部のへり部分３１０１に保持部分３００４をスナップ嵌めで係合すると、使用者が吸込口カバー３０００の中心部分３００１を引っ張るまで、吸込口カバー３０００は、空気導管３１００を覆っているその位置を維持する。
【００６７】
中心部分３００１のつまみ３００９を引っ張ることにより、中心部分３００１は、部分３００２及び３００３から永続的に分離される。いったん中心部分３００１が部分３００２及び３００３から分離されると、それによって保持部分３００４が空気導管３１００の内部のへり３１０１に係合するスナップ嵌めがもはやきかなくなり、吸込口カバー３０００を空気導管３１００の吸込口から取り外すことができるようになる。
【００６８】
それぞれの部分３００２及び３００３については、２つの保持部分３００４と共に示されているが、代替実施形態においては、これらの部分は、１つの保持部分しか有さない場合もあれば、２つより多くの保持部分を有する場合もある。さらに別の実施形態においては、吸込口カバーは、１つのみの部分と中心部分とを含み得る。
【００６９】
図１５５及び図１５６は、本発明の別の実施形態による、それぞれ、吸込口カバーと空気導管とを示す透視切開図である。図１５５に示されるように、吸込口カバー３２００は、中心部分３２０１と、部分３２０２と、部分３２０３とを含む。中心部分３２０１は、部分３２０２と３２０３との間に配置され、それらに取外し可能に取り付けられる。吸込口カバー３２００は、上部部分と突出部分とを有する。部分３２０２及び３２０３は、それぞれ、保持部分３２０４を含む。図１５６に示されるように、空気導管３３００は、基部部分３３１０と突出部分３３１１とを含む。空気導管３３００はまた、開口部３３０７を含む。
【００７０】
吸込口カバー３２００及び空気導管３３００を組み合わせて使用して、吸込口カバー３２００は、空気導管３３００から取外し可能であるが、いったん吸込口カバー３２００を取り外すと、空気導管３３００に再び取り付けることができないようにすることができる。空気導管３３００の上に吸込口カバー３２００を載せ、吸込口カバー３２００をパチンと嵌めることにより、吸込口カバー３２００を空気導管３３００に取り付けて、保持部分３２０４を空気導管３３００の開口部３３０７に係合させることができる。いったん空気導管３３００の開口部３３０７に保持部分３２０４を係合すると、使用者が吸込口カバー３２００の中心部分３２０１を引っ張るまで、吸込口カバー３２００は、空気導管３３００を覆っているその位置を維持する。図１４６〜図１５４に示された実施形態を参照しながら、上記に記載したものと同様の方法で、吸込口カバー３２００を空気導管３３００から取り外すことができる。
【００７１】
２つの保持部分３２０４と共に示されているが、代替実施形態においては、吸込口カバー３２００は、１つの保持部分しか有さない場合もあれば、２つより多くの保持部分を有する場合もある。さらに別の実施形態においては、図１５５に示された実施形態における一部分（即ち、部分３２０２または３２０３）は、図１４６〜図１５４に示された実施形態における吸込口カバーの一部分（即ち、部分３００２または３００３）と交換することができる。このような代替実施形態においては、空気導管は、吸込口カバーの保持部分が取外し可能に係合し得る、内部のへりと開口部とを含む。
【００７２】
図１５７は、本発明の別の実施形態による吸込口カバーを示す透視図である。吸込口カバー３４００は、上部部分３４０１と外部部分３４０２とを有する。外部部分３４０２は、引き手３４０３を含む。
【００７３】
吸込口カバー３４００をいくつかの方法でハンドカバーに結合することができる。たとえば、吸込口カバー３４００を、摩擦嵌めを用いて、カバー１２０（図１５７に図示せず）と空気分散装置１５０との間に取外し可能に配置することができる。この構成においては、使用者が、引き手３４０３を引っ張って、カバー１２０及び空気分散装置１５０から吸込口カバー３４００を分離することにより、吸込口カバー３４００を取り外すことができる。滑り嵌め（snugfit）を用いることにより、吸込口カバー３４００を取り外すことができるが、再び取り付けることはできない。
【００７４】
別の構成においては、空気カバー３４００の上部部分３４０１は、カバー１２０及び／又は空気分散装置１５０に固定して取り付けることができる。この構成においては、外部部分３４０２及び／又は引き手３４０３は、上部部分３４０１から分離することができる。たとえば、外部部分３４０３、すなわち、引き手３４０３を、空気カバー３４００の残りの部分から引き裂くことができる。このようにして、外部部分３４０３、又は、引き手３４０３を取り外して、空気分散装置の吸込口を露出させることができるが、再び取り付けることはできない。
【００７５】
図１５８は、本発明の別の実施形態による、吸込口カバー及び空気導管を示す透視分解図である。吸込口カバー３５００は、上部部分３５０２と外部部分３５０１とを有する。外部部分３５０１は、その外周に配置された部位３５０３を含む。空気導管３６００は、基部部分３６０１と突出部分３６０２とを有する。
【００７６】
吸込口カバー３５００の外部部分３５０１の部位３５０３は、突出部分３６０１の外周に取外し可能に取り付けられ得る。たとえば、空気導管３６００から吸込口カバー３５００の部位３５０３を引き裂く回転運動により、空気導管３６００から吸込口カバー３５００を取り外すことができる。このようにして、吸込口カバー３５００を取り外して、空気導管３６００の吸込口を露出させることができるが、再び取り付けることはできない。
【００７７】
図１５９は、本発明の別の実施形態による、吸込口カバー及び空気導管を示す透視分解図である。吸込口カバー３７００は、たとえば、１枚のプラスティックまたはポリウレタンであり得る。たとえば、外周などの、吸込口カバー３７００の適切な部分に沿って、接着剤またはヒートラップ（heatwrap）により、空気導管３８００またはハンドカバーのカバー１２０（図１５９に図示せず）に、吸込口カバー３７００を結合することができる。使用者は、たとえば、吸込口カバー３７００を引き裂くことによって、吸込口カバー３７００を取り外すことができる。たとえば、使用者は、吸込口カバー３７００の内部部分を引き裂くことができる。あるいは、使用者は、吸込口カバー３７００全体を取り外すことができる。代替実施形態においては、吸込口カバー３７００は、穴あき部分を含み得る。使用者は、穴あき部分に沿って、吸込口カバー３７００を引き裂くことができる。
【００７８】
図１６０及び図１６１は、本発明の一実施形態による、それぞれ、組立てられた構成の吸込口カバー、及び組立てられた構成と分解された構成との間の中間ポジションを示す透視図である。吸込口カバー３９００は、中心部分３９０１と、保持部分３９０２及び３９０３とを含む。中心部分３９０１は、保持部分３９０２と３９０３との間に配置され、つまみ３９０９を含む。中心部分３９０１は、保持部分３９０２及び３９０３に取外し可能に取り付けられる。
【００７９】
保持部分３９０２は、空気導管及び／又はハンドカバーのカバー１２０（図１６０及び図１６１に図示せず）に結合される。保持部分３９０２は、たとえば接着剤または他の任意の適切な種類の付着により、空気導管及び／又はハンドカバーのカバー１２０に結合され得る。あるいは、保持部分３９０２は、たとえば高周波溶接により、空気導管に結合され得る。
【００８０】
図１６０は、組立てられた構成の吸込口カバー３９００を示す図である。方向３９０７に中心部分３９０１のつまみ３９０９を引っ張ることにより、中心部分３９０１は、保持部分３９０２及び３９０３から永続的に分離される。図１６１は、組立てられた構成と分解された構成との間の中間ポジションの吸込口カバー３９００を示す図である。いったん中心部分３９０１を保持部分３９０２及び３９０３から分離すると、保持部分３９０３が保持部分３９０２から分離されて、空気分散装置の吸込口が露出する（図１６０及び図１６１に図示せず）。保持部分３９０３が保持部分３９０２から分離されると、吸込口カバー３９００は分解された構成となる。
【００８１】
図１６２は、本発明の一実施形態による、吸込口カバー及び空気導管を示す透視図である。吸込口カバー４０００は、中心部分４００１と保持部分４００３とを含む。中心部分４００１は、つまみ４００９を含む。中心部分４００１は、空気導管４１００に結合される。中心部分４００１は、保持部分４００３及び空気導管４１００に取外し可能に取り付けられる。
【００８２】
図１６２は、組立てられた構成の吸込口カバー４０００を示す図である。中心部分４００１のつまみ４００９を引っ張ることにより、中心部分４００１は、保持部分４００３及び空気導管４１００から永続的に分離される。いったん中心部分４００１が保持部分４００３及び空気導管４１００から分離されると、空気分散装置の吸込口が露出する。保持部分４００３及び中心部分４００１が空気導管４１００から分離されると、吸込口カバー４０００は分解された構成となる。
【００８３】
図１６３及び図１６４は、本発明の一実施形態による、それぞれ、閉じた構成及び開放された構成の空気導管の吸込口を示す透視図である。空気導管４２００は、基部部分４２０１と、開口部４２０３を画定する本体部分４２０２とを含む。開口部４２０３の形状は、側部部分４２０４及び４２０５によって画定され、そのそれぞれが、圧力が加えられない時にはその元の形状に戻り得る、柔軟な肋材または弾性的な押さえ面（aflexible ribbing or a resilient batten）を含む。
【００８４】
より詳細には、図１６３は、閉じた構成の空気導管４２００を示す図である。この閉じた構成においては、開口部４２０３は、一時的に縮小するか、または実質的に閉じられる。図１６４は、開放された構成の空気導管４２００を示す図である。この開放された構成においては、使用者は、側部部分４２０４及び４２０５を押しつぶして、開口部４２０３を一時的に開放する。言い換えれば、それぞれの側部部分４２０４及び４２０５の端部部分に圧力をかけて、これらの側部部分を曲げることにより、開口部４２０３が拡大される。たとえば、（図１６４に例示されているように）使用者の指を用いて、または使用者の口を用いて、側部部分４２０４及び４２０５を共に押しつぶすことができる。開口部４２０３が開放された構成で拡大されている間に、使用者は開口部４２０３に空気を吹きかけることができ、それにより、空気が、本体４２０２及び基部部分４２０１を横切り、空気導管４２００を通って、空気分散装置内に入る。
【００８５】
図１６５は、本発明の別の実施形態による、開放された構成の吸込口カバー及び空気導管を示す透視図である。空気導管４３００は、基部部分４３０１と、突出部分４３０２と、コネクタ４３０４とを含む。突出部分４３０２は、基部部分４３０１と実質的に同一平面でなく、開口部４３０３を画定する。吸込口カバー４４００は、上部部分４４０１と突出部分４４０２とを含む。突出部分４４０２は、たとえば、上部部分４４０１と一体に形成されたプラグであり得る。コネクタ４３０４により、吸込口カバー４４００を空気導管装置４３００に結合することができる。代替実施形態においては、吸込口カバーは上部部分を含む必要がない。
【００８６】
吸込口カバー４３００の突出部分４３０２を、空気分散装置４３００の開口部４３０３内に挿入し、開口部４３０３から取り外し、開口部４３０３内に再び挿入することができる。突出部分４３０２が開口部４３０３内に挿入されると、空気分散装置４３００は閉じた構成となる。使用者は、突出部分４３０２を取り外し、開口部４３０３に空気を吹きかけることができ、それにより、空気が、突出部分４３０２及び基部部分４３０１を横切り、空気導管４３００を通って、空気分散装置内に入る。
【００８７】
図１６６〜図１６９は、吸込口カバーの代替実施形態を示す図である。図１６６及び図１６７は、それぞれ、代替実施形態である吸込口カバー４５００を示す上部透視図及び下部透視図である。吸込口カバー４５００は、上部部分４５１０と、上部部分の第１の側４５１２から突出する結合部材４５２０と、上部部分の第２の側４５１４から突出する作動部材４５３０とを含む。
【００８８】
結合部材４５２０は、空気導管（例示せず）と相互に作用するよう構成されており、吸込口カバー４５００を空気導管に取外し可能に結合することができる。したがって、吸込口カバーを、空気導管に結合し、空気導管から取り外し、空気導管に再び結合することができる。吸込口カバー４５００を空気導管に結合し、かつ空気導管から吸込口カバーを取り外すのを容易にするために、使用者は、作動部材４５３０を介して吸込口カバーを掴むことができる。例示されている実施形態においては、空気導管から吸込口カバー４５００を取り外すことは、空気導管に対して吸込口カバーをひねることを含む。代替実施形態においては、空気導管から吸込口カバーを取り外すのに、ひねる必要はない。
【００８９】
例示されている実施形態においては、吸込口カバー４５００は、空気導管に取外し可能に結合されるよう構成される。代替構成においては、吸込口カバーは、手袋または空気分散装置などの、ハンドカバーの他の部分に取外し可能に結合されるよう構成される。
【００９０】
例示されている実施形態においては、吸込口カバー４５００は、４つの結合部材４５２０を含む。しかし、吸込口カバーが４つの結合部材を含む必要はない。たとえば、代替実施形態においては、吸込口カバーは、１、２、３、５、または他の任意の数の結合部材を含む。
【００９１】
吸込口カバーの別の代替実施形態が、図１６８及び図１６９に例示されている。この実施形態においては、吸込口カバー４５５０は、上部部分４５５２の１方の側４５５４に溝４５６０を含む。吸込口カバー４５５０を空気導管に結合し、かつ空気導管から吸込口カバーを取り外すのを容易にするために、使用者は、爪または硬貨などのものを溝４５６０内に挿入することができる。次いで、吸込口カバーを空気導管に対してひねり、空気導管から取り外すことができる。
【００９２】
図１７０〜図１７３は、空気導管の代替実施形態を示す図である。図１７０は、空気導管の開口部４６０５を覆う網目部分４６１０を有する空気導管４６００を示す図である。網目部分４６１０により、空気は空気導管の開口部を自由に通過するが、ごみが空気導管の開口部を通過するのは防止することができる。一実施形態においては、網目部分はナイロンから作られる。さらなる実施形態においては、網目部分は、アルミニウム、またはごみが空気導管の開口部に入るのを防ぐ、網目タイプの構造を呈する他の任意の材料から作られる。
【００９３】
図１７１は、いくつかの開口部４６３４を有するカバー部分４６３２を含む空気導管４６３０を示す図である。開口部４６３４により、空気は空気導管４６３０を自由に通過するが、ごみが空気導管の中に入るのを防止することができる。例示されている実施形態においては、開口部は円形である。図１７３に例示されているように、代替実施形態においては、空気導管４６４０は、細長い開口部４６４４を含む。さらなる実施形態においては、開口部は、矩形、三角形、または他の多角形のような異なる形状を有する。図１７２に例示されているように、代替実施形態においては、空気導管４６５０は、垂直に向いた開口部４６５４を含む。
【００９４】
図１７４〜図２０９は、空気分散装置の代替実施形態を示す図である。例示されている実施形態では、異なる形状及び大きさの流路部材と、異なる大きさ及び形状の排出口とを含む。それぞれの実施形態について、１つの流路部材しか示されていないが、空気分散装置は２つ以上の流路部材を含み得ることを理解されたい。さらに簡略化するために、流路部材の１方の端部しか例示されていない。しかし、空気分散装置はまた、少なくとも第２の端部と空気吸込口（図１７４〜図２０９に図示せず）とを含むことを理解されたい。
【００９５】
２つの図は、図１７４〜図２０９に示されている実施形態のそれぞれを示す図である。それぞれの実施形態のための図の１つが、使用者の手とのからみで示されている空気分散装置の側面図である。説明のために、空気分散装置の例示されている実施形態では、空気分散装置に直接接触している使用者の手が示されている。しかし、空気分散装置は、ハンドカバーと共に使用されるよう構成されており、使用者の手と直接接触しないことがあることを理解されたい。他の図は、空気分散装置の例示されている部分の平面図である。
【００９６】
図１７４及び図１７５は、流路部材４７０２を含む空気分散装置４７００を示す図である。流路部材４７０２は、細長い先端部分４７０４と、１対の「半月」形の側部部分４７０６とを有する。側部部分４７０６のそれぞれが、その端部の直近に置かれた円形の排出口４７０８を含む。
【００９７】
図１７６及び図１７７は、流路部材４８０２を含む空気分散装置４８００を示す図である。流路部材４８０２は、細長い先端部分４８０４と、１対の矩形状の側部部分４８０６とを有する。側部部分４８０６のそれぞれが、細長い排出口４８０８を含む。細長い排出口４８０８により、排出口を出る空気が、使用者の指の大きな部分の直近から出ることができる。
【００９８】
図１７８及び図１７９は、流路部材４９０２を含む空気分散装置４９００を示す図である。流路部材４９０２は、細長い先端部分４９０４と、１対の細長い側部部分４９０６とを有する。側部部分４９０６のそれぞれが、その端部に置かれた排出口４９０８を含む。したがって、排出口４９０８を出る空気が、使用者の指の先端の方に向けられる。
【００９９】
図１８０及び図１８１は、流路部材５００２を含む空気分散装置５０００を示す図である。流路部材５００２は、細長い先端部分５００４と、１対の四角い側部部分５００６とを有する。側部部分５００６のそれぞれが、その端部の直近に置かれた円形の排出口５００８を含む。
【０１００】
図１８２及び図１８３は、流路部材５１０２を含む空気分散装置５１００を示す図である。流路部材５１０２は、細長い先端部分５１０４と、１対の丸い側部部分５１０６とを有する。側部部分５１０６のそれぞれが、円形の排出口５１０８を含む。
【０１０１】
図１８４及び図１８５は、流路部材５２０２を含む空気分散装置５２００を示す図である。流路部材５２０２は、細長い先端部分５２０４と、１対の細長い側部部分５２０６とを有する。側部部分５２０６のそれぞれが、２つの円形の排出口５２０８を含む。したがって、分散装置５２００を出る空気が、使用者の指の異なる部分の直近から出る。
【０１０２】
図１８６及び図１８７は、流路部材５３０２を含む空気分散装置５３００を示す図である。流路部材５３０２は、細長い先端部分５３０４と、流路部材の１方の端部の近くに置かれた環状部分５３０６とを有する。環状部分５３０６は、使用者の指の先端の周囲に適合するように構成される。さらに、環状部分５３０６は、環状部分の周囲に沿って置かれた、２つの円形の排出口５３０８を含む。
【０１０３】
図１８８及び図１８９は、流路部材５４０２を含む空気分散装置５４００を示す図である。流路部材５４０２は、細長い先端部分５４０４と、１対の「半月」形の側部部分５４０６とを有する。側部部分５４０６のそれぞれが、２つの円形の排出口５４０８を含む。したがって、分散装置５４００を出る空気が、使用者の指の異なる部分の直近から出る。
【０１０４】
図１９０及び図１９１は、流路部材５５０２を含む空気分散装置５５００を示す図である。流路部材５５０２は、細長い先端部分５５０４と、１対の細長い側部部分５５０６とを有する。側部部分５５０６のそれぞれが、１対の流路５５０７を介して先端部分に接続される。異なる流路５５０７は、空気が空気分散装置５５００を通って伝わるための追加経路を提供する。さらに、側部部分５５０６のそれぞれが、細長い排出口５５０８を含む。細長い排出口５５０８により、排出口を出る空気が、使用者の指の大きな部分の直近から出ることができる。
【０１０５】
図１９２及び図１９３は、流路部材５６０２を含む空気分散装置５６００を示す図である。流路部材５６０２は、細長い先端部分５６０４と、１対の細長い側部部分５６０６とを有する。側部部分５６０６のそれぞれが、その端部の直近に置かれた円形の排出口５６０８を含む。細長い側部部分５６０６は、先端部分５６０４に対して半ば平行に（in asemi-parallel fashion）延在する。したがって、空気分散装置５６００を通過する空気が、容易に排出口５６０８を出ることができる。
【０１０６】
図１９４及び図１９５は、流路部材５７０２を含む空気分散装置５７００を示す図である。流路部材５７０２は、細長い先端部分５７０４と、１対の側部部分５７０６とを有する。側部部分のそれぞれが、その端部の直近に置かれた円形の排出口５７０８を含む。
【０１０７】
図１９６及び図１９７は、流路部材５８０２を含む空気分散装置５８００を示す図である。流路部材５８０２は、細長い先端部分５８０４と、その先端部分と平行に延在する１対の細長い側部部分５８０６とを有する。側部部分５８０６のそれぞれが、細長い排出口５８０８を含む。細長い排出口５８０８により、空気分散装置５８００を通って伝わる空気が、使用者の指の大きな領域の直近から出ることができる。
【０１０８】
図１９８及び図１９９は、流路部材５９０２を含む空気分散装置５９００を示す図である。流路部材５９０２は、細長い先端部分５９０４と、１対の丸い側部部分５９０６とを有する。空気分散装置５９００はまた、１方の側部部分から他方の側部部分に延在する「Ｖ」形の排出口５９０８を含む。「Ｖ」形の排出口５９０８により、空気分散装置５９００を通って伝わる空気が、使用者の指の先端の直近、及び使用者の指の両側の直近から出ることができる。
【０１０９】
（図２００及び図２０１に例示されている）代替実施形態においては、空気分散装置は、１方の側部部分から他方の側部部分に延在する線形の排出口５９２０を含む。線形の排出口５９２０により、空気分散装置を通って伝わる空気が、使用者の指の先端の直近、及び使用者の指の両側の直近から出ることができる。
【０１１０】
図２０２及び図２０３は、流路部材６００２を含む空気分散装置６０００を示す図である。流路部材６００２は、細長い先端部分６００４と、１対の側部部分６００６とを有する。側部部分６００６のそれぞれが、円形の排出口６００８を含む。
【０１１１】
図２０４及び図２０５は、流路部材６１０２を含む空気分散装置６１００を示す図である。流路部材６１０２は、細長い先端部分６１０４と、１対の側部部分６１０６とを有する。側部部分６１０６のそれぞれが、１対の流路６１０７を介して先端部分に接続される。２つの流路６１０７が、空気が空気分散装置６１００を通って伝わるための追加経路を提供する。側部部分６１０６のそれぞれが、２つの排出口６１０８を含む。したがって、分散装置６１００を出る空気が、使用者の指の異なる部分の直近から出る。
【０１１２】
図２０６及び図２０７は、流路部材６２０２を含む空気分散装置６２００を示す図である。流路部材６２０２は、細長い先端部分６２０４と、「Ｙ」形の管状部材６２１０とを有する。空気分散装置６２００はまた、管状部材６２１０の末端部に置かれた２つの排出口６２０８を含む。管状部材６２１０は、使用者の指の側部の周囲及びそれに沿って延在するよう構成される。排出口６２０８は、空気分散装置を出る空気を、使用者の指の先端の方に向けるよう構成される。
【０１１３】
代替実施形態が、図２０８及び図２０９に例示されている。この実施形態においては、管状部材６２１５は、使用者の指の側部に沿って延在するよう構成されておらず、管状部材は、使用者の指の先端全体に延在するよう構成される。排出口６２１８は、空気分散装置を通過する空気を、使用者の指の側部の方に向けるよう構成される。
【０１１４】
図２１０は、図３のラインＡ−Ａに沿って示す、本発明の別の実施形態の部分横断面図である。図２１０に示されるように、手を収容する部分６３１０は、下部部分６３３１と上部部分６３１２とを含む。カバー６３２０は、下部部分６３２１と上部部分６３２２とを含む。
【０１１５】
カバーの上部部分６３２２及び上部の手を収容する部分６３１０は、全体として、吸込口６３５１と排出口６３５９とを有する空気分散装置６３５０（その１つが、図２１０に示されている）を画定する。カバーの上部部分６３２２は、吸込口６３５１を含む。排出口６３５９は、下部の手を収容する部分６３１２と上部の手を収容する部分６３１１との間に画定される。代替実施形態においては、カバーの上部部分と上部の手を収容する部分との間に、排出口を画定することができる。空気分散装置６３５０は、使用者の手の指または親指に（witha finger or thumbe）、それぞれ関連する流路を画定し得る。たとえば、空気分散装置６３５０は、図９に示された空気分散装置５５０を参照して示されているものと同様の形状を有し得る。その上、カバーの上部部分６３２２及び上部の手を収容する部分６３１２を縫い目で結合することができる。たとえば、このような縫い目は、空気分散装置６３５０のそれぞれの流路の反対側の縫い目を含み得る。その上、下部の手を収容する部分６３１２は、カバーの上部部分６３２２に結合され、これにより吸込口６３５９が画定される。
【０１１６】
図２１１は、図３のラインＡ−Ａに沿って示す、本発明の別の実施形態の部分横断面図である。図２１１に示されるように、カバー６４２０は、下部部分６４２１と上部部分６４２２とを含み、手を収容する部分６４１０は、カバーの上部部分６４２２の直近に配置される。カバーの上部部分６４２２は、吸込口６４５１を含む。排出口６４５９は、手を収容する部分６４１０とカバーの上部部分６４２２との間に画定される。空気分散装置６４５０は、使用者の手の指または親指に、それぞれ関連する流路を画定し得る。
【０１１７】
図２１２は、図３のラインＡ−Ａに沿って示す、本発明の別の実施形態の部分横断面図である。図２１２に示されるように、カバー６５２０は、下部部分６５２１と上部部分６５２２とを含み、手を収容する部分６４１０は、下部の手を収容する部分６５１１と上部の手を収容する部分６５１２とを含む。空気分散膜６５５３が、カバーの上部部分６５２２と上部の手を収容する部分６５１２との間に配置される。材料層６５１２（たとえば、布地または発泡体）が、空気分散膜６５５３と上部の手を収容する部分６５１２との間に配置される。カバーの上部部分６５２２は、吸込口６５５１を含む。排出口６５５９は、カバーの上部部分６４２２と空気分散膜６５５３との間に画定される。空気分散膜６５５３及びカバーの上部部分６５２２は、全体として、空気分散装置６５５０を画定する。
【０１１８】
図２１３は、図３のラインＡ−Ａに沿って示す、本発明の別の実施形態の部分横断面図である。図２１３に示されるように、カバー６６２０は、下部部分６６２１と上部部分６６２２とを含み、手を収容する部分６６１０は、カバーの上部部分６６２２の直近に配置される。材料層６６７０が、下部部分６６７１と上部部分６６７２とを含み、カバー６６２０の外側に結合される。このような材料層６６７０は、追加の、保温または保湿性のある層を提供し得る。カバーの上部部分６６２２及び材料層６６７０は、吸込口６６５１を含む。排出口６６５９は、手を収容する部分６６１０とカバーの上部部分６６２２との間に画定される。
【０１１９】
図２１４は、図３のラインＡ−Ａに沿って示す、本発明の別の実施形態の部分横断面図である。図２１４に示されるように、カバー６７２０は、下部部分６７２１と上部部分６７２２とを含み、手を収容する部分６７１０は、カバーの上部部分６７２２の直近に配置される。材料層６７７０が、カバーの上部部分６７２２と手を収容する部分６７１０との間に配置される。カバーの上部部分６７２２は、吸込口６７５１を含む。排出口６７５９は、手を収容する部分６７１０とカバーの上部部分６７２２との間に画定される。
【０１２０】
図２１５は、図３のラインＡ−Ａに沿って示す、本発明の別の実施形態の部分横断面図である。図２１５に示されるように、カバー６８２０は、下部部分６８２１と上部部分６８２２とを含み、手を収容する部分６８１０は、下部の手を収容する部分６８１１と上部の手を収容する部分６８１２とを含む。空気分散膜６８５３が、カバーの上部部分６８２２と上部の手を収容する部分６８１２との間に配置される。カバーの上部部分６８２２は、吸込口６８５１を含む。排出口６８５９は、カバーの上部部分６８２２と空気分散膜６８５３との間に画定される。空気分散膜６８５３及びカバーの上部部分６８２２は、全体として、空気分散装置６８５０を画定する。
【０１２１】
図２１６は、図３のラインＡ−Ａに沿って示す、本発明の別の実施形態の部分横断面図である。図２１６に示されるように、カバー６９２０は、下部部分６９２１と上部部分６９２２とを含み、手を収容する部分６９１０は、カバーの上部部分６９２２の直近に配置される。材料層６９７０が、カバーの上部部分６９２２と手を収容する部分６９１０との間に配置される。カバーの上部部分６９２２は、吸込口６９５１を含む。排出口６９５９は、カバーの上部部分６９２２内の穴であり、これにより、内部に向かう空気を手を収容する部分６９１０の方に向ける。
【０１２２】
図２１７は、図３のラインＡ−Ａに沿って示す、本発明の別の実施形態の部分横断面図である。図２１７に示されるように、カバー７０２０は、下部部分７０２１と上部部分７０２２とを含み、手を収容する部分７０１０は、カバーの上部部分７０２２の直近に配置される。カバーの上部部分７０２２は、吸込口７０５１を含む。排出口７０５９は、カバーの上部部分７０２２内の穴であり、これにより、内部に向かう空気を手を収容する部分７０１０の方に向ける。
【０１２３】
図２１８は、図３のラインＡ−Ａに沿って示す、本発明の別の実施形態の部分横断面図である。図２１８に示されるように、カバー７１２０は、下部部分７１２１と上部部分７１２２とを含み、手を収容する部分７１１０は、下部の手を収容する部分７１１１と上部の手を収容する部分７１１２とを含む。空気分散膜７１５３が、カバーの上部部分７１２２と上部の手を収容する部分７１１２との間に配置される。材料層７１７０が、カバーの上部部分７１２２と手を収容する部分７１１０との間に配置される。カバーの上部部分７１２２は、吸込口７１５１を含む。排出口７１５９は、カバーの上部部分７１２２と空気分散膜７１５３との間に画定される。空気分散膜７１５３及びカバーの上部部分７１２２は、全体として、空気分散装置７１５０を画定する。
【０１２４】
図２１０〜図２１８に示された実施形態について、空気分散装置は、使用者の手の指または親指に、それぞれ関連する流路を画定し得る。たとえば、各空気分散装置は、図９に示されている空気分散装置５５０を参照して示されているものと同様の形状を有し得る。その上、対応するカバーの上部部分、上部の手を収容する部分、空気分散膜、及び／又は材料層は、縫い目で結合され得る。たとえば、このような縫い目は、空気分散装置のそれぞれの流路の反対側にある縫い目を含み得る。
【０１２５】
いくつかの実施形態について上記に記載したが、他の多くの変形形態が可能である。たとえば、いくつかの上記の実施形態においては、手を収容する部分及びカバーなどの異なる部分を分離した素材として記載しているが、他の実施形態においては、これらの部分は、複数の層を有する１つの素材であり得る。複数の層を有するこのような１つの素材は、たとえば、それらの層を共に接着するかまたは高周波溶接して、空気分散装置内の流路を、空気（たとえば使用者の息）が通過できるよう構成した積層（laminate）であり得る。たとえば、発泡体状のまたは容積維持層（afoam-like or volume-maintaining layer）を含む複数の層を有する１つの素材が、積層内に含まれ得る。このような場合、発泡体状の層が、空気分散装置内を空気が通過し得る容積を維持し得る層のすべてから、積層が構築され得る。
【０１２６】
代替実施形態においては、複数の部分を一体に形成することができる。たとえば、空気分散装置の通気道が発泡体層から構築される場合には、空気分散装置の上部膜及び下部膜を、発泡体と一体に形成することができる。このような上部膜及び下部膜は、上部膜及び下部膜が薄膜状の防水面である発泡体の製造工程の副産物として構築され得る。この実施形態においては、発泡体層により、空気が空気分散装置を伝わることができ、一方、空気が空気分散装置の上部膜及び下部膜を通過するのを最小限に抑えながら（または防止しながら）、上部膜及び下部膜により、空気が通気道を通るように向けることができる。
【０１２７】
その上、いくつかの上記の実施形態においては、所望の特性を有する、ある部分または膜について記載しているが、他の多くの変形形態が可能である。たとえば、図６及び図７に関係する記載においては、空気分散装置３５０内の材料３６０は、所望の温度管理特性及び所望の湿度管理特性について選択されたものとして、上記に記載されている。空気分散装置３５０と同様の装置を有する実施形態においては、カバーなどの手袋の他の部分も、同様の特性を有し得る。たとえば、図１０〜図１４に示された実施形態について、カバー１２０は保湿材料であり得、これにより、湿度を保持するための手袋の別の部分を使用者の皮膚からさらに離すことができる（providinganother portion of the glove for retaining moisture close to yes away from theuser's skin）。前記別の方法で、カバー１２０、及び空気分散装置３５０の材料は、それぞれ、それ自体の保湿特性を有することができ、その少なくとも１つが手を収容する部分の保湿特性より高い。
【０１２８】
別の例として、図２１５に示された手袋は、保湿材料から作られた部分を有し得る。たとえば、空気分散膜６８５３及びカバー６８２０を保湿材料から作り、手を収容する部分６８１０を強い保湿特性を有さない保温材料から作ることができる。言い換えれば、手を収容する部分６８１０の保湿特性は、カバー６８２０の保湿特性及び空気分散膜６８５３の保湿特性より低い場合がある。
【０１２９】
要約すれば、使用者の皮膚に直接接触していない手袋の１つ以上の部分が、保湿特性を有し、使用者の皮膚に直接接触している手袋の部分が、より低い保湿特性を有する材料から作られ得る。上記で論じたように、使用者の皮膚に直接接触していない膜、部分または層で手袋内に湿度を保持することにより、濡れたまたは湿った表面が使用者の皮膚に接触する不快感を回避しつつ、長い時間、手袋内の温度を上げておくことができる。
【０１３０】
本発明のさらなる実施形態においては、ハンドカバーは、使用していない時には、耐水及び耐風の外皮内に配置されるように構成される。さらに、片方または両方のハンドカバーは、ハンドカバーの使用中には、外皮をしまっておくよう構成された袋またはポケットを含み得る。
【０１３１】
本発明のさらなる実施形態においては、ハンドカバーは、小型のコンパクトな包装容器内に折りたたまれるよう構成される。したがって、ハンドカバーは、使用していない時には、容易に格納される。
【０１３２】
本発明のさらなる実施形態においては、ハンドカバーは、弾性材料を含む。弾性材料は、使用者の手に対して、締り嵌めまたは滑り嵌めを維持するよう置かれ、かつ構成される。本発明のさらなる実施形態においては、弾性材料は、指の領域内に置かれ、指が閉じた位置にある時には材料が緩み、指が開いた位置にある時には弾性材料が伸びるよう構成される。したがって、指が開いた位置にある時には、弾性材料により手袋の嵩が増す（theelastic material gathers the bulk of the glove）。
【０１３３】
結論
本発明の様々な実施形態について上記に記載してきたが、これらは単に例示のためであり、限定的なものでないことを理解されたい。したがって、本発明の範囲は、上記に記載した実施形態のいずれにも限定されるものではなく、特許請求の範囲及びそれらの均等物によってのみ定義されるものとする。
【０１３４】
実施形態についてのこれまでの記載により、いかなる当業者も、本発明を製作したり、または使用することが可能となろう。本発明について、その実施形態を参照しながら、詳細に示し、かつ記載してきたが、当業者には、本発明の趣旨及び範囲から逸脱することなく、形状及び詳細事項の点で様々な変更形態が可能であることが理解されるであろう。
【０１３５】
明示的には示されていないが、上記に記載した空気カバーを、どのようなハンドカバーの実施形態とも合わせて使用することができる。たとえば、上記に記載した空気カバーを、図２２〜図２４を参照して記載された管状の空気導管と共に使用するために修正することができる。
【０１３６】
別の実施形態においては、図１５９を参照して示された空気カバーを、空気導管が設けられていないハンドカバーと合わせて使用することができる（たとえば、図１９及び図２０参照）。このような実施形態においては、ハンドカバーのカバーは、それに隣接して空気分散装置の吸込口が配置された導管部分を含み得る。したがって、吸込口カバーは、カバーの導管部分に結合され得る。カバーの導管部分から吸込口カバーを引っ張ることにより、吸込口カバーをカバーから取り外すことができる。さらなる実施形態においては、図１５９を参照して示された空気カバーを、空気分散装置が設けられていないハンドカバーと合わせて使用することができる（たとえば、図１９参照）。
【図面の簡単な説明】
【０１３７】
【図１】本発明の一実施形態によるハンドカバーを示す透視図である。
【図２】図１に例示されているハンドカバーを示す側面図である。
【図３】図１に例示されているハンドカバーを示す平面図である。
【図４】図２のライン４−４に沿って示す、図１に例示されているハンドカバーの横断面図である。
【図５】本発明のハンドカバーの代替実施形態を示す横断面図である。
【図６】本発明による空気分散装置を示す分解組立図である。
【図７】本発明による空気分散装置の代替実施形態を示す図である。
【図８】本発明による空気分散装置の別の代替実施形態を示す図である。
【図９】本発明による空気分散装置の代替実施形態を示す分解図である。
【図１０】図３のラインＡ−Ａに沿って示す、本発明の一実施形態の部分横断面図である。
【図１１】図３のラインＡ−Ａに沿って示す、本発明のさらなる実施形態の部分横断面図である。
【図１２】図３のラインＡ−Ａに沿って示す、本発明の別の実施形態の部分横断面図である。
【図１３】図３のラインＡ−Ａに沿って示す、本発明のさらに別の実施形態の部分横断面図である。
【図１４】図３のラインＡ−Ａに沿って示す、本発明のさらなる実施形態の部分横断面図である。
【図１５】本発明の空気分散装置と共に使用するための流路部材の実施形態を含む、本発明による空気分散装置を示す部分図である。
【図１６】空気吸込口及び空気排出口の実施形態の例示を含む、本発明による例示的空気分散装置を示す図である。
【図１７】第１の構成で、本発明によるハンドカバーの代替実施形態を示す図である。
【図１８】第２の構成で、図１７に例示されているハンドカバーを示す部分透視図である。
【図１９】本発明によるハンドカバーの別の代替実施形態を示す図である。
【図２０】第１の構成で、本発明によるハンドカバーのさらなる代替実施形態を示す図である。
【図２１】第２の構成で、図２０に例示されているハンドカバーを示す図である。
【図２２】第１の構成で、本発明の空気導管の代替実施形態を示す図である。
【図２３】第２の構成で、図２２に例示されている空気導管を示す図である。
【図２４】本発明による空気導管の代替実施形態を示す図である。
【図２５】本発明による空気導管の代替実施形態を示す図である。
【図２６】本発明による空気導管の代替実施形態を示す図である。
【図２７】本発明による空気導管の代替実施形態を示す図である。
【図２８】本発明による空気導管の代替実施形態を示す図である。
【図２９】本発明による空気導管の代替実施形態を示す図である。
【図３０】本発明による空気導管の代替実施形態を示す図である。
【図３１】本発明による空気導管の代替実施形態を示す図である。
【図３２】本発明による空気導管の代替実施形態を示す図である。
【図３３】本発明による空気導管の代替実施形態を示す図である。
【図３４】本発明による空気導管の代替実施形態を示す図である。
【図３５】本発明による空気導管の代替実施形態を示す図である。
【図３６】本発明による空気導管の代替実施形態を示す図である。
【図３７】本発明による空気導管の代替実施形態を示す図である。
【図３８】本発明による空気導管の代替実施形態を示す図である。
【図３９】本発明による空気導管の代替実施形態を示す図である。
【図４０】本発明による空気導管の代替実施形態を示す図である。
【図４１】本発明によるハンドカバーに空気流を提供する方法を示す図である。
【図４２】本発明によるハンドカバーの代替実施形態を示す図である。
【図４３】本発明によるハンドカバーのさらなる代替実施形態を示す図である。
【図４４】本発明によるハンドカバーの代替実施形態を示す図である。
【図４５】本発明によるハンドカバーの代替実施形態を示す図である。
【図４６】本発明によるハンドカバーの代替実施形態を示す図である。
【図４７】本発明によるハンドカバーの代替実施形態を示す図である。
【図４８】本発明によるハンドカバーの代替実施形態を示す図である。
【図４９】本発明によるハンドカバーの代替実施形態を示す図である。
【図５０】本発明によるハンドカバーの代替実施形態を示す図である。
【図５１】本発明によるハンドカバーの代替実施形態を示す図である。
【図５２】本発明によるハンドカバーの代替実施形態を示す図である。
【図５３】本発明によるハンドカバーの代替実施形態を示す図である。
【図５４】本発明によるハンドカバーの代替実施形態を示す図である。
【図５５】本発明によるハンドカバーの代替実施形態を示す図である。
【図５６】本発明によるハンドカバーの代替実施形態を示す図である。
【図５７】本発明によるハンドカバーの代替実施形態を示す図である。
【図５８】本発明によるハンドカバーの代替実施形態を示す図である。
【図５９】本発明によるハンドカバーの代替実施形態を示す図である。
【図６０】本発明によるハンドカバーの代替実施形態を示す図である。
【図６１】本発明によるハンドカバーの代替実施形態を示す図である。
【図６２】本発明によるハンドカバーの代替実施形態を示す図である。
【図６３】本発明によるハンドカバーの代替実施形態を示す図である。
【図６４】本発明によるハンドカバーの代替実施形態を示す図である。
【図６５】本発明によるハンドカバーの代替実施形態を示す図である。
【図６６】本発明によるハンドカバーの代替実施形態を示す図である。
【図６７】本発明によるハンドカバーの代替実施形態を示す図である。
【図６８】本発明によるハンドカバーの代替実施形態を示す図である。
【図６９】本発明によるハンドカバーの代替実施形態を示す図である。
【図７０】本発明によるハンドカバーの代替実施形態を示す図である。
【図７１】本発明によるハンドカバーの代替実施形態を示す図である。
【図７２】本発明によるハンドカバーの代替実施形態を示す図である。
【図７３】本発明によるハンドカバーの代替実施形態を示す図である。
【図７４】本発明によるハンドカバーの代替実施形態を示す図である。
【図７５】本発明によるハンドカバーの代替実施形態を示す図である。
【図７６】本発明によるハンドカバーの代替実施形態を示す図である。
【図７７】本発明によるハンドカバーの代替実施形態を示す図である。
【図７８】本発明によるハンドカバーの代替実施形態を示す図である。
【図７９】本発明によるハンドカバーの代替実施形態を示す図である。
【図８０】本発明によるハンドカバーの代替実施形態を示す図である。
【図８１】本発明によるハンドカバーの代替実施形態を示す図である。
【図８２】本発明によるハンドカバーの代替実施形態を示す図である。
【図８３】本発明によるハンドカバーの代替実施形態を示す図である。
【図８４】本発明によるハンドカバーの代替実施形態を示す図である。
【図８５】本発明によるハンドカバーの代替実施形態を示す図である。
【図８６】本発明によるハンドカバーの代替実施形態を示す図である。
【図８７】本発明によるハンドカバーの代替実施形態を示す図である。
【図８８】本発明によるハンドカバーの代替実施形態を示す図である。
【図８９】本発明によるハンドカバーの代替実施形態を示す図である。
【図９０】本発明によるハンドカバーの代替実施形態を示す図である。
【図９１】本発明によるハンドカバーの代替実施形態を示す図である。
【図９２】本発明によるハンドカバーの代替実施形態を示す図である。
【図９３】本発明によるハンドカバーの代替実施形態を示す図である。
【図９４】本発明によるハンドカバーの代替実施形態を示す図である。
【図９５】本発明によるハンドカバーの代替実施形態を示す図である。
【図９６】本発明によるハンドカバーの代替実施形態を示す図である。
【図９７】本発明によるハンドカバーの代替実施形態を示す図である。
【図９８】本発明によるハンドカバーの代替実施形態を示す図である。
【図９９】本発明によるハンドカバーの代替実施形態を示す図である。
【図１００】本発明によるハンドカバーの代替実施形態を示す図である。
【図１０１】本発明によるハンドカバーの代替実施形態を示す図である。
【図１０２】本発明によるハンドカバーの代替実施形態を示す図である。
【図１０３】本発明によるハンドカバーの代替実施形態を示す図である。
【図１０４】本発明によるハンドカバーの代替実施形態を示す図である。
【図１０５】本発明によるハンドカバーの代替実施形態を示す図である。
【図１０６】本発明によるハンドカバーの代替実施形態を示す図である。
【図１０７】本発明によるハンドカバーの代替実施形態を示す図である。
【図１０８】本発明によるハンドカバーの代替実施形態を示す図である。
【図１０９】本発明によるハンドカバーの代替実施形態を示す図である。
【図１１０】本発明によるハンドカバーの代替実施形態を示す図である。
【図１１１】本発明によるハンドカバーの代替実施形態を示す図である。
【図１１２】本発明によるハンドカバーの代替実施形態を示す図である。
【図１１３】本発明によるハンドカバーの代替実施形態を示す図である。
【図１１４】本発明によるハンドカバーの代替実施形態を示す図である。
【図１１５】本発明によるハンドカバーの代替実施形態を示す図である。
【図１１６】本発明によるハンドカバーの代替実施形態を示す図である。
【図１１７】本発明によるハンドカバーの代替実施形態を示す図である。
【図１１８】本発明によるハンドカバーの代替実施形態を示す図である。
【図１１９】本発明によるハンドカバーの代替実施形態を示す図である。
【図１２０】本発明によるハンドカバーの代替実施形態を示す図である。
【図１２１】本発明によるハンドカバーの代替実施形態を示す図である。
【図１２２】本発明によるハンドカバーの代替実施形態を示す図である。
【図１２３】本発明によるハンドカバーの代替実施形態を示す図である。
【図１２４】本発明によるハンドカバーの代替実施形態を示す図である。
【図１２５】本発明によるハンドカバーの代替実施形態を示す図である。
【図１２６】本発明によるハンドカバーの代替実施形態を示す図である。
【図１２７】本発明によるハンドカバーの代替実施形態を示す図である。
【図１２８】本発明によるハンドカバーの代替実施形態を示す図である。
【図１２９】本発明によるハンドカバーの代替実施形態を示す図である。
【図１３０】本発明によるハンドカバーの代替実施形態を示す図である。
【図１３１】本発明によるハンドカバーの代替実施形態を示す図である。
【図１３２】本発明によるハンドカバーの代替実施形態を示す図である。
【図１３３】本発明によるハンドカバーの代替実施形態を示す図である。
【図１３４】本発明によるハンドカバーの代替実施形態を示す図である。
【図１３５】本発明によるハンドカバーの代替実施形態を示す図である。
【図１３６】本発明によるハンドカバーの代替実施形態を示す図である。
【図１３７】本発明によるハンドカバーの代替実施形態を示す図である。
【図１３８】本発明によるハンドカバーの代替実施形態を示す図である。
【図１３９】本発明によるハンドカバーの代替実施形態を示す図である。
【図１４０】本発明によるハンドカバーの代替実施形態を示す図である。
【図１４１】本発明によるハンドカバーの代替実施形態を示す図である。
【図１４２】本発明によるハンドカバーの代替実施形態を示す図である。
【図１４３】本発明によるハンドカバーの代替実施形態を示す図である。
【図１４４】本発明によるハンドカバーの代替実施形態を示す図である。
【図１４５】本発明によるハンドカバーの代替実施形態を示す図である。
【図１４６】本発明の実施形態による、空気導管及び取外し可能な吸込口カバーを示す様々な図である。
【図１４７】本発明の実施形態による、空気導管及び取外し可能な吸込口カバーを示す様々な図である。
【図１４８】本発明の実施形態による、空気導管及び取外し可能な吸込口カバーを示す様々な図である。
【図１４９】本発明の実施形態による、空気導管及び取外し可能な吸込口カバーを示す様々な図である。
【図１５０】本発明の実施形態による、空気導管及び取外し可能な吸込口カバーを示す様々な図である。
【図１５１】本発明の実施形態による、空気導管及び取外し可能な吸込口カバーを示す様々な図である。
【図１５２】本発明の実施形態による、空気導管及び取外し可能な吸込口カバーを示す様々な図である。
【図１５３】本発明の実施形態による、空気導管及び取外し可能な吸込口カバーを示す様々な図である。
【図１５４】本発明の実施形態による、空気導管及び取外し可能な吸込口カバーを示す様々な図である。
【図１５５】本発明の別の実施形態による、それぞれ、吸込口カバー及び空気導管を示す透視切開図である。
【図１５６】本発明の別の実施形態による、それぞれ、吸込口カバー及び空気導管を示す透視切開図である。
【図１５７】本発明の別の実施形態による、吸込口カバーを示す透視図である。
【図１５８】本発明の別の実施形態による、吸込口カバー及び空気導管を示す透視分解図である。
【図１５９】本発明の別の実施形態による、吸込口カバー及び空気導管を示す透視分解図である。
【図１６０】本発明の一実施形態による、それぞれ、組立てられた構成、及び組立てられた構成と分解された構成との間の中間ポジションの吸込口カバーを示す透視図である。
【図１６１】本発明の一実施形態による、それぞれ、組立てられた構成、及び組立てられた構成と分解された構成との間の中間ポジションの吸込口カバーを示す透視図である。
【図１６２】本発明の一実施形態による、吸込口カバー及び空気導管を示す透視図である。
【図１６３】本発明の一実施形態による、それぞれ、閉じた構成及び開放された構成で、空気導管の吸込口を示す透視図である。
【図１６４】本発明の一実施形態による、それぞれ、閉じた構成及び開放された構成で、空気導管の吸込口を示す透視図である。
【図１６５】本発明の別の実施形態による、開放された構成で、吸込口カバー及び空気導管を示す透視図である。
【図１６６】本発明による吸込口カバーの代替実施形態を示す図である。
【図１６７】本発明による吸込口カバーの代替実施形態を示す図である。
【図１６８】本発明による吸込口カバーの代替実施形態を示す図である。
【図１６９】本発明による吸込口カバーの代替実施形態を示す図である。
【図１７０】本発明による空気導管の代替実施形態を示す図である。
【図１７１】本発明による空気導管の代替実施形態を示す図である。
【図１７２】本発明による空気導管の代替実施形態を示す図である。
【図１７３】本発明による空気導管の代替実施形態を示す図である。
【図１７４】本発明による空気分散装置の代替実施形態を示す図である。
【図１７５】本発明による空気分散装置の代替実施形態を示す図である。
【図１７６】本発明による空気分散装置の代替実施形態を示す図である。
【図１７７】本発明による空気分散装置の代替実施形態を示す図である。
【図１７８】本発明による空気分散装置の代替実施形態を示す図である。
【図１７９】本発明による空気分散装置の代替実施形態を示す図である。
【図１８０】本発明による空気分散装置の代替実施形態を示す図である。
【図１８１】本発明による空気分散装置の代替実施形態を示す図である。
【図１８２】本発明による空気分散装置の代替実施形態を示す図である。
【図１８３】本発明による空気分散装置の代替実施形態を示す図である。
【図１８４】本発明による空気分散装置の代替実施形態を示す図である。
【図１８５】本発明による空気分散装置の代替実施形態を示す図である。
【図１８６】本発明による空気分散装置の代替実施形態を示す図である。
【図１８７】本発明による空気分散装置の代替実施形態を示す図である。
【図１８８】本発明による空気分散装置の代替実施形態を示す図である。
【図１８９】本発明による空気分散装置の代替実施形態を示す図である。
【図１９０】本発明による空気分散装置の代替実施形態を示す図である。
【図１９１】本発明による空気分散装置の代替実施形態を示す図である。
【図１９２】本発明による空気分散装置の代替実施形態を示す図である。
【図１９３】本発明による空気分散装置の代替実施形態を示す図である。
【図１９４】本発明による空気分散装置の代替実施形態を示す図である。
【図１９５】本発明による空気分散装置の代替実施形態を示す図である。
【図１９６】本発明による空気分散装置の代替実施形態を示す図である。
【図１９７】本発明による空気分散装置の代替実施形態を示す図である。
【図１９８】本発明による空気分散装置の代替実施形態を示す図である。
【図１９９】本発明による空気分散装置の代替実施形態を示す図である。
【図２００】本発明による空気分散装置の代替実施形態を示す図である。
【図２０１】本発明による空気分散装置の代替実施形態を示す図である。
【図２０２】本発明による空気分散装置の代替実施形態を示す図である。
【図２０３】本発明による空気分散装置の代替実施形態を示す図である。
【図２０４】本発明による空気分散装置の代替実施形態を示す図である。
【図２０５】本発明による空気分散装置の代替実施形態を示す図である。
【図２０６】本発明による空気分散装置の代替実施形態を示す図である。
【図２０７】本発明による空気分散装置の代替実施形態を示す図である。
【図２０８】本発明による空気分散装置の代替実施形態を示す図である。
【図２０９】本発明による空気分散装置の代替実施形態を示す図である。
【図２１０】図３のラインＡ−Ａに沿って示す、本発明の他の実施形態の部分横断面図である。
【図２１１】図３のラインＡ−Ａに沿って示す、本発明の他の実施形態の部分横断面図である。
【図２１２】図３のラインＡ−Ａに沿って示す、本発明の他の実施形態の部分横断面図である。
【図２１３】図３のラインＡ−Ａに沿って示す、本発明の他の実施形態の部分横断面図である。
【図２１４】図３のラインＡ−Ａに沿って示す、本発明の他の実施形態の部分横断面図である。
【図２１５】図３のラインＡ−Ａに沿って示す、本発明の他の実施形態の部分横断面図である。
【図２１６】図３のラインＡ−Ａに沿って示す、本発明の他の実施形態の部分横断面図である。
【図２１７】図３のラインＡ−Ａに沿って示す、本発明の他の実施形態の部分横断面図である。
【図２１８】図３のラインＡ−Ａに沿って示す、本発明の他の実施形態の部分横断面図である。
【図１】
2006508256.tif 000003
【図２】
2006508256.tif 000004
【図３】
2006508256.tif 000005
【図４】
2006508256.tif 000006
【図５】
2006508256.tif 000007
【図６】
2006508256.tif 000008
【図７】
2006508256.tif 000009
【図８】
2006508256.tif 000010
【図９】
2006508256.tif 000011
【図１０】
2006508256.tif 000012
【図１１】
2006508256.tif 000013
【図１２】
2006508256.tif 000014
【図１３】
2006508256.tif 000015
【図１４】
2006508256.tif 000016
【図１５】
2006508256.tif 000017
【図１６】
2006508256.tif 000018
【図１７】
2006508256.tif 000019
【図１８】
2006508256.tif 000020
【図１９】
2006508256.tif 000021
【図２０】
2006508256.tif 000022
【図２１】
2006508256.tif 000023
【図２２】
2006508256.tif 000024
【図２３】
2006508256.tif 000025
【図２４】
2006508256.tif 000026
【図２５】
2006508256.tif 000027
【図２６】
2006508256.tif 000028
【図２７】
2006508256.tif 000029
【図２８】
2006508256.tif 000030
【図２９】
2006508256.tif 000031
【図３０】
2006508256.tif 000032
【図３１】
2006508256.tif 000033
【図３２】
2006508256.tif 000034
【図３３】
2006508256.tif 000035
【図３４】
2006508256.tif 000036
【図３５】
2006508256.tif 000037
【図３６】
2006508256.tif 000038
【図３７】
2006508256.tif 000039
【図３８】
2006508256.tif 000040
【図３９】
2006508256.tif 000041
【図４０】
2006508256.tif 000042
【図４１】
2006508256.tif 000043
【図４２】
2006508256.tif 000044
【図４３】
2006508256.tif 000045
【図４４】
2006508256.tif 000046
【図４５】
2006508256.tif 000047
【図４６】
2006508256.tif 000048
【図４７】
2006508256.tif 000049
【図４８】
2006508256.tif 000050
【図４９】
2006508256.tif 000051
【図５０】
2006508256.tif 000052
【図５１】
2006508256.tif 000053
【図５２】
2006508256.tif 000054
【図５３】
2006508256.tif 000055
【図５４】
2006508256.tif 000056
【図５５】
2006508256.tif 000057
【図５６】
2006508256.tif 000058
【図５７】
2006508256.tif 000059
【図５８】
2006508256.tif 000060
【図５９】
2006508256.tif 000061
【図６０】
2006508256.tif 000062
【図６１】
2006508256.tif 000063
【図６２】
2006508256.tif 000064
【図６３】
2006508256.tif 000065
【図６４】
2006508256.tif 000066
【図６５】
2006508256.tif 000067
【図６６】
2006508256.tif 000068
【図６７】
2006508256.tif 000069
【図６８】
2006508256.tif 000070
【図６９】
2006508256.tif 000071
【図７０】
2006508256.tif 000072
【図７１】
2006508256.tif 000073
【図７２】
2006508256.tif 000074
【図７３】
2006508256.tif 000075
【図７４】
2006508256.tif 000076
【図７５】
2006508256.tif 000077
【図７６】
2006508256.tif 000078
【図７７】
2006508256.tif 000079
【図７８】
2006508256.tif 000080
【図７９】
2006508256.tif 000081
【図８０】
2006508256.tif 000082
【図８１】
2006508256.tif 000083
【図８２】
2006508256.tif 000084
【図８３】
2006508256.tif 000085
【図８４】
2006508256.tif 000086
【図８５】
2006508256.tif 000087
【図８６】
2006508256.tif 000088
【図８７】
2006508256.tif 000089
【図８８】
2006508256.tif 000090
【図８９】
2006508256.tif 000091
【図９０】
2006508256.tif 000092
【図９１】
2006508256.tif 000093
【図９２】
2006508256.tif 000094
【図９３】
2006508256.tif 000095
【図９４】
2006508256.tif 000096
【図９５】
2006508256.tif 000097
【図９６】
2006508256.tif 000098
【図９７】
2006508256.tif 000099
【図９８】
2006508256.tif 000100
【図９９】
2006508256.tif 000101
【図１００】
2006508256.tif 000102
【図１０１】
2006508256.tif 000103
【図１０２】
2006508256.tif 000104
【図１０３】
2006508256.tif 000105
【図１０４】
2006508256.tif 000106
【図１０５】
2006508256.tif 000107
【図１０６】
2006508256.tif 000108
【図１０７】
2006508256.tif 000109
【図１０８】
2006508256.tif 000110
【図１０９】
2006508256.tif 000111
【図１１０】
2006508256.tif 000112
【図１１１】
2006508256.tif 000113
【図１１２】
2006508256.tif 000114
【図１１３】
2006508256.tif 000115
【図１１４】
2006508256.tif 000116
【図１１５】
2006508256.tif 000117
【図１１６】
2006508256.tif 000118
【図１１７】
2006508256.tif 000119
【図１１８】
2006508256.tif 000120
【図１１９】
2006508256.tif 000121
【図１２０】
2006508256.tif 000122
【図１２１】
2006508256.tif 000123
【図１２２】
2006508256.tif 000124
【図１２３】
2006508256.tif 000125
【図１２４】
2006508256.tif 000126
【図１２５】
2006508256.tif 000127
【図１２６】
2006508256.tif 000128
【図１２７】
2006508256.tif 000129
【図１２８】
2006508256.tif 000130
【図１２９】
2006508256.tif 000131
【図１３０】
2006508256.tif 000132
【図１３１】
2006508256.tif 000133
【図１３２】
2006508256.tif 000134
【図１３３】
2006508256.tif 000135
【図１３４】
2006508256.tif 000136
【図１３５】
2006508256.tif 000137
【図１３６】
2006508256.tif 000138
【図１３７】
2006508256.tif 000139
【図１３８】
2006508256.tif 000140
【図１３９】
2006508256.tif 000141
【図１４０】
2006508256.tif 000142
【図１４１】
2006508256.tif 000143
【図１４２】
2006508256.tif 000144
【図１４３】
2006508256.tif 000145
【図１４４】
2006508256.tif 000146
【図１４５】
2006508256.tif 000147
【図１４６】
2006508256.tif 000148
【図１４７】
2006508256.tif 000149
【図１４８】
2006508256.tif 000150
【図１４９】
2006508256.tif 000151
【図１５０】
2006508256.tif 000152
【図１５１】
2006508256.tif 000153
【図１５２】
2006508256.tif 000154
【図１５３】
2006508256.tif 000155
【図１５４】
2006508256.tif 000156
【図１５５】
2006508256.tif 000157
【図１５６】
2006508256.tif 000158
【図１５７】
2006508256.tif 000159
【図１５８】
2006508256.tif 000160
【図１５９】
2006508256.tif 000161
【図１６０】
2006508256.tif 000162
【図１６１】
2006508256.tif 000163
【図１６２】
2006508256.tif 000164
【図１６３】
2006508256.tif 000165
【図１６４】
2006508256.tif 000166
【図１６５】
2006508256.tif 000167
【図１６６】
2006508256.tif 000168
【図１６７】
2006508256.tif 000169
【図１６８】
2006508256.tif 000170
【図１６９】
2006508256.tif 000171
【図１７０】
2006508256.tif 000172
【図１７１】
2006508256.tif 000173
2006508256.tif 000174
【図１７３】
2006508256.tif 000175
【図１７４】
2006508256.tif 000176
【図１７５】
2006508256.tif 000177
【図１７６】
2006508256.tif 000178
【図１７７】
2006508256.tif 000179
【図１７８】
2006508256.tif 000180
【図１７９】
2006508256.tif 000181
【図１８０】
2006508256.tif 000182
【図１８１】
2006508256.tif 000183
【図１８２】
2006508256.tif 000184
【図１８３】
2006508256.tif 000185
【図１８４】
2006508256.tif 000186
【図１８５】
2006508256.tif 000187
【図１８６】
2006508256.tif 000188
【図１８７】
2006508256.tif 000189
【図１８８】
2006508256.tif 000190
【図１８９】
2006508256.tif 000191
【図１９０】
2006508256.tif 000192
【図１９１】
2006508256.tif 000193
【図１９２】
2006508256.tif 000194
【図１９３】
2006508256.tif 000195
【図１９４】
2006508256.tif 000196
【図１９５】
2006508256.tif 000197
【図１９６】
2006508256.tif 000198
【図１９７】
2006508256.tif 000199
【図１９８】
2006508256.tif 000200
【図１９９】
2006508256.tif 000201
【図２００】
2006508256.tif 000202
【図２０１】
2006508256.tif 000203
【図２０２】
2006508256.tif 000204
【図２０３】
2006508256.tif 000205
【図２０４】
2006508256.tif 000206
【図２０５】
2006508256.tif 000207
【図２０６】
2006508256.tif 000208
【図２０７】
2006508256.tif 000209
【図２０８】
2006508256.tif 000210
【図２０９】
2006508256.tif 000211
【図２１４】
2006508256.tif 000212
【図２１５】
2006508256.tif 000213
【図２１６】
2006508256.tif 000214
【図２１７】
2006508256.tif 000215
【図２１０】
2006508256.tif 000216
【図２１１】
2006508256.tif 000217
【図２１２】
2006508256.tif 000218
【図２１３】
2006508256.tif 000219
【図２１８】
2006508256.tif 000220
【国際調査報告】
2006508256.tif 000221